(57)【要約】  アップリンク電力制限シナリオにおける通話途絶を低減するための方法が開示される。この方法は、無線通信デバイスが、無線通信デバイスがアップリンク電力制限状況に遭遇しており、無線通信デバイスの送信電力が無線通信デバイスの電力クラスレベルを下回るレベルに制限されていると判定することを含み得る。この方法は、アップリンク電力制限状況に基づいてハンドオーバーをトリガーするための測定レポートを送るためのダウンリンク電力閾値を定めることを更に含み得る。このダウンリンク電力閾値は、サービング基地局によって設定された閾値を上回り得る。この方法は、ダウンリンク電力測定値に基づいて、算出されたダウンリンク電力閾値が満たされていると判定することと、ダウンリンク電力閾値が満たされていることを受けて、ハンドオーバーをトリガーするための測定レポートをサービング基地局に送ることと、を追加的に含む。【選択図】図６
2015532820.tif 000002
【特許請求の範囲】
【請求項１】
アップリンク電力制限シナリオにおける通話途絶を低減するための方法であって、無線通信デバイスが、
前記無線通信デバイスがアップリンク電力制限状況に遭遇しており、前記無線通信デバイスの送信電力が前記無線通信デバイスの電力クラスレベルを下回るレベルに制限されていると判定することと、
前記アップリンク電力制限状況に少なくとも部分的に基づいて、ハンドオーバーをトリガーするための測定レポートを送るためのダウンリンク電力閾値であって、サービング基地局によって設定された閾値よりも高いダウンリンク電力閾値を定めることと、
ダウンリンク電力測定値に少なくとも部分的に基づいて、前記ダウンリンク電力閾値が満たされていると判定することと、
前記ダウンリンク電力閾値が満たされていることを受けて、ハンドオーバーをトリガーするための測定レポートを前記サービング基地局に送ることと、
を含む方法。
【請求項２】
ハンドオーバーをトリガーするための前記測定レポートを送ることが、無線通信アクセス技術間（ＲＡＴ間）ハンドオーバー又は周波数間ハンドオーバーのうちの一方をトリガーするための測定レポートを送ることを含む、請求項１に記載の方法。
【請求項３】
前記ダウンリンク電力閾値を定めることが、サービングセルのチャネル状況が閾値よりも悪化したことを示す測定レポートを送るためのダウンリンク電力閾値を定めることを含む、請求項１に記載の方法。
【請求項４】
前記サービング基地局が、ロングタームエボリューション（ＬＴＥ）無線アクセス技術を実装するネットワークの基地局を含み、前記ダウンリンク電力閾値を定めることが、Ａ２測定イベント閾値を定めることを含む、請求項１に記載の方法。
【請求項５】
前記ダウンリンク電力閾値を定めることが、
前記無線通信デバイスの前記電力クラスレベルと関連付けられた送信電力と、前記アップリンク電力制限状況により前記無線通信デバイスが制限される送信電力と、の差を表す送信電力不均衡を求めることと、
前記送信電力不均衡に相当するオフセットを前記サービング基地局によって設定された前記閾値に加えることによって前記ダウンリンク電力閾値を算出することと、
を含む、請求項１に記載の方法。
【請求項６】
前記無線通信デバイスが前記アップリンク電力制限状況に遭遇していると判定することが、利用できるパワーヘッドルーム値が閾値未満であると判定することを含む、請求項１から５のいずれか一項に記載の方法。
【請求項７】
前記無線通信デバイスが前記アップリンク電力制限状況に遭遇していると判定することが、シグナリング無線ベアラ（ＳＲＢ）送信用の未処理パケットデータユニット（ＰＤＵ）が閾値数より多く存在すると判定することを含む、請求項１から５のいずれか一項に記載の方法。
【請求項８】
無線通信デバイスであって、
セルラーネットワークのサービング基地局との間で信号を送受信するように構成された送受信機と、
前記送受信機に連結された処理回路であって、前記無線通信デバイスを制御して、少なくとも、
前記無線通信デバイスがアップリンク電力制限状況に遭遇しており、前記無線通信デバイスの送信電力が前記無線通信デバイスの電力クラスレベルを下回るレベルに制限されていると判定し、
前記アップリンク電力制限状況に少なくとも部分的に基づいて、ハンドオーバーをトリガーするための測定レポートを送るためのダウンリンク電力閾値であって、前記サービング基地局によって設定された閾値よりも高いダウンリンク電力閾値を定め、
ダウンリンク電力測定値に少なくとも部分的に基づいて、前記ダウンリンク電力閾値が満たされていると判定し、
前記ダウンリンク電力閾値が満たされていることを受けて、ハンドオーバーをトリガーするための測定レポートを前記サービング基地局に送る、
ように構成された処理回路と、
を備える無線通信デバイス。
【請求項９】
前記ダウンリンク電力閾値が、サービングセルのチャネル状況が閾値よりも悪化したことを示す測定レポートを送るためのダウンリンク電力閾値を含む、請求項８に記載の無線通信デバイス。
【請求項１０】
前記サービング基地局が、ロングタームエボリューション（ＬＴＥ）無線アクセス技術を実装するネットワークの基地局を含み、前記ダウンリンク電力閾値がＡ２測定イベント閾値を含む、請求項８に記載の無線通信デバイス。
【請求項１１】
前記処理回路が、前記無線通信デバイスを制御して、少なくとも部分的には、
前記無線通信デバイスの前記電力クラスレベルと関連付けられた送信電力と、前記アップリンク電力制限状況により前記無線通信デバイスが制限される送信電力と、の差を表す送信電力不均衡を求めることと、
前記送信電力不均衡に相当するオフセットを前記サービング基地局によって設定された前記閾値に加えることによって前記ダウンリンク電力閾値を算出することと、
によって前記ダウンリンク電力閾値を定めるように構成されている、請求項８から１０のいずれか一項に記載の無線通信デバイス。
【請求項１２】
アップリンク電力制限シナリオにおける通話途絶を低減するための方法であって、無線通信デバイスが、
前記無線通信デバイスがアップリンク電力制限状況に遭遇しており、前記無線通信デバイスの送信電力が前記無線通信デバイスの電力クラスレベルを下回るレベルに制限されていると判定することと、
前記アップリンク電力制限状況を受けて、サービング基地局が前記無線通信デバイスに対するグラントレベルを下げるようにトリガーするために、前記無線通信デバイスが、前記無線通信デバイスによって実際に観測された状況以外の状況に遭遇していることを示すレポートを前記サービング基地局に送ることと、
を含む方法。
【請求項１３】
前記レポートを送ることが、前記無線通信デバイスによって観測されたパワーヘッドルーム値を過小にレポートするパワーヘッドルームレポート（ＰＨＲ）を送ることを含む、請求項１２に記載の方法。
【請求項１４】
前記レポートを送ることが、前記無線通信デバイスのアップリンクバッファにおいて前記アップリンクバッファにおいて実際に保留中のデータよりも少ないデータが保留中であることを示すバッファステータスレポート（ＢＳＲ）を送ることを含む、請求項１２に記載の方法。
【請求項１５】
前記無線通信デバイスが、前記アップリンク電力制限状況を受けてアップリンクデータレートを下げることを更に含む、請求項１４に記載の方法。
【請求項１６】
前記レポートを送ることが、媒体アクセス制御（ＭＡＣ）層で前記レポートを送り始めることを含む、請求項１２に記載の方法。
【請求項１７】
前記レポートを送ることが、前記サービング基地局が前記無線通信デバイスに割り当てるリソースブロックを減らすようにトリガーするために前記レポートを送ることを含む、請求項１２に記載の方法。
【請求項１８】
前記サービング基地局が、ロングタームエボリューション（ＬＴＥ）無線アクセス技術を実装するネットワークの基地局を含む、請求項１２に記載の方法。
【請求項１９】
前記無線通信デバイスが前記アップリンク電力制限状況に遭遇していると判定することが、利用できるパワーヘッドルーム値が閾値未満であると判定することを含む、請求項１２から１８のいずれか一項に記載の方法。
【請求項２０】
前記無線通信デバイスが前記アップリンク電力制限状況に遭遇していると判定することが、シグナリング無線ベアラ（ＳＲＢ）送信用の未処理パケットデータユニット（ＰＤＵ）が閾値数より多く存在すると判定することを含む、請求項１２から１８のいずれか一項に記載の方法。
【請求項２１】
前記無線通信デバイスが前記アップリンク電力制限状況に遭遇していると判定することが、前記無線通信デバイスが、
前記無線通信デバイスの前記電力クラスレベルと関連付けられた送信電力と、前記無線通信デバイスが送信している送信電力と、の差を算出することと、
前記差を最大閾値（Ｐｍａｘ）と比較することと、
前記差が前記最大閾値を上回る場合に、前記無線通信デバイスがアップリンク電力制限状況に遭遇していると判定することと、
を含む、請求項１２から１８のいずれか一項に記載の方法。
【請求項２２】
無線通信デバイスであって、
セルラーネットワークのサービング基地局との間で信号を送受信するように構成された送受信機と、
前記送受信機に連結された処理回路であって、前記無線通信デバイスを制御して、少なくとも、
前記無線通信デバイスがアップリンク電力制限状況に遭遇しており、前記無線通信デバイスの送信電力が前記無線通信デバイスの電力クラスレベルを下回るレベルに制限されていると判定し、
前記アップリンク電力制限状況を受けて、前記サービング基地局が前記無線通信デバイスに対するグラントレベルを下げるようにトリガーするために、前記無線通信デバイスが、前記無線通信デバイスによって実際に観測された状況以外の状況に遭遇していることを示すレポートを前記サービング基地局に送る、
ように構成された処理回路と、
を備える無線通信デバイス。
【請求項２３】
前記レポートが、前記無線通信デバイスによって観測されたパワーヘッドルーム値を過小にレポートするパワーヘッドルームレポート（ＰＨＲ）を含む、請求項２２に記載の無線通信デバイス。
【請求項２４】
前記レポートが、前記無線通信デバイスのアップリンクバッファにおいて前記アップリンクバッファにおいて実際に保留中のデータよりも少ないデータが保留中であることを示すバッファステータスレポート（ＢＳＲ）を含む、請求項２２に記載の無線通信デバイス。
【請求項２５】
前記処理回路が、前記無線通信デバイスを制御して、前記アップリンク電力制限状況を受けてアップリンクデータレートを下げるように更に構成されている、請求項２２から２４のいずれか一項に記載の無線通信デバイス。
【請求項２６】
前記処理回路が、前記無線通信デバイスを制御して、媒体アクセス制御（ＭＡＣ）層で前記レポートを送り始めるように更に構成されている、請求項２２から２４のいずれか一項に記載の無線通信デバイス。
【請求項２７】
アップリンク電力制限シナリオにおける通話途絶を低減するための方法であって、無線通信デバイスが、
前記無線通信デバイスがアップリンク電力制限状況に遭遇しており、前記無線通信デバイスの送信電力が前記無線通信デバイスの電力クラスレベルを下回るレベルに制限されていると判定することと、
前記アップリンク電力制限状況を受けてアップリンク送信データの到着を遅くするために前記アップリンク電力制限状況についての指示を前記無線通信デバイスのトランスポート層又はアプリケーション層のうちの１つ以上に内部的にシグナリングすることと、
を含む方法。
【請求項２８】
前記無線通信デバイスが、
前記指示を受けて、アップリンク送信データがアップリンク送信のために上位層からベースバンド層に提供される速度を下げること
を更に含む、請求項２７に記載の方法。
【請求項２９】
前記無線通信デバイスが前記アップリンク電力制限状況に遭遇していると判定することが、前記無線通信デバイスのベースバンド層で行われ、
内部的にシグナリングすることが、前記ベースバンド層からの前記指示を、前記トランスポート層又は前記アプリケーション層のうちの１つ以上に内部的にシグナリングすることを含む、
請求項２７から２８のいずれか一項に記載の方法。
【請求項３０】
前記アプリケーション層が前記指示を受けてゼロ伝送制御プロトコル（ＴＣＰ）ウィンドウサイズをアドバタイズすることを更に含む、請求項２７から２８のいずれか一項に記載の方法。
【請求項３１】
前記無線通信デバイスが、ロングタームエボリューション（ＬＴＥ）無線アクセス技術を実装するネットワークに接続されている、請求項２７から２８のいずれか一項に記載の方法。
【請求項３２】
前記無線通信デバイスが前記アップリンク電力制限状況に遭遇していると判定することが、利用できるパワーヘッドルーム値が閾値未満であると判定することを含む、請求項２７から２８のいずれか一項に記載の方法。
【請求項３３】
前記無線通信デバイスが前記アップリンク電力制限状況に遭遇していると判定することが、シグナリング無線ベアラ（ＳＲＢ）送信用の未処理パケットデータユニット（ＰＤＵ）が閾値数より多く存在すると判定することを含む、請求項２７から２８のいずれか一項に記載の方法。
【請求項３４】
前記無線通信デバイスが前記アップリンク電力制限状況に遭遇していると判定することが、前記無線通信デバイスが、
前記無線通信デバイスの前記電力クラスレベルと関連付けられた送信電力と、前記無線通信デバイスが送信している送信電力と、の差を算出することと、
前記差を最大閾値（Ｐｍａｘ）と比較することと、
前記差が前記最大閾値を上回る場合に、前記無線通信デバイスがアップリンク電力制限状況に遭遇していると判定することと、
を含む、請求項２７から２８のいずれか一項に記載の方法。
【請求項３５】
無線通信デバイスであって、
セルラーネットワークとの間で信号を送受信するように構成された送受信機と、
前記送受信機に連結された処理回路であって、前記無線通信デバイスを制御して、少なくとも、
前記無線通信デバイスがアップリンク電力制限状況に遭遇しており、前記無線通信デバイスの送信電力が前記無線通信デバイスの電力クラスレベルを下回るレベルに制限されていると判定し、
前記アップリンク電力制限状況を受けてアップリンク送信データの到着を遅くするために、前記アップリンク電力制限状況についての指示を前記無線通信デバイスのトランスポート層又はアプリケーション層のうちの１つ以上に内部的にシグナリングする、
ように構成された処理回路と、
を備える無線通信デバイス。
【請求項３６】
前記処理回路が、前記無線通信デバイスを制御して、
前記指示を受けて、アップリンク送信データがアップリンク送信のために上位層からベースバンド層に提供される速度を下げる
ように更に構成されている、請求項３５に記載の無線通信デバイス。
【請求項３７】
前記処理回路が、前記無線通信デバイスを制御して、
ベースバンド層で、前記無線通信デバイスが前記アップリンク電力制限状況に遭遇していると判定し、
前記ベースバンド層からの前記指示を前記トランスポート層又は前記アプリケーション層のうちの１つ以上に内部的にシグナリングする、
ように更に構成されている、請求項３５に記載の無線通信デバイス。
【請求項３８】
前記処理回路が、前記無線通信デバイスを制御して、
前記指示を受けて、前記アプリケーション層にゼロ伝送制御プロトコル（ＴＣＰ）ウィンドウサイズをアドバタイズさせる
ように更に構成されている、請求項３５に記載の無線通信デバイス。
【請求項３９】
アップリンク電力制限シナリオにおける通話途絶を低減するための方法であって、無線通信デバイスが、
前記無線通信デバイスの明示的なアップリンク送信電力能力であって、前記無線通信デバイスの電力クラスと関連付けられた送信電力未満である明示的なアップリンク送信電力能力を判定することと、
前記明示的なアップリンク送信電力能力をサービングネットワークにシグナリングすることと、
を含む方法。
【請求項４０】
前記明示的なアップリンク送信電力能力を前記サービングネットワークにシグナリングすることが、前記明示的なアップリンク送信電力能力についての指示を含む能力情報メッセージを前記サービングネットワークに送ることを含む、請求項３９に記載の方法。
【請求項４１】
前記無線通信デバイスが、
前記サービングネットワークにシグナリングされた前記明示的なアップリンク送信電力能力に少なくとも部分的に基づいて前記サービングネットワークによって前記無線通信デバイス専用に設定された測定レポート用の設定パラメータを受信すること
を更に含む、請求項３９に記載の方法。
【請求項４２】
前記設定パラメータが、サービングセルのチャネル状況が閾値よりも悪化したことを示す測定レポートを送るための前記閾値を定める設定パラメータを含む、請求項４１に記載の方法。
【請求項４３】
前記サービングネットワークが、ロングタームエボリューション（ＬＴＥ）無線アクセス技術を実装するネットワークを含み、前記設定パラメータがＡ２測定イベント閾値を定める、請求項４１に記載の方法。
【請求項４４】
前記サービングネットワークが、ロングタームエボリューション（ＬＴＥ）無線アクセス技術を実装するネットワークを含む、請求項３９から４２のいずれか一項に記載の方法。
【請求項４５】
無線通信デバイスであって、
サービングネットワークとの間で信号を送受信するように構成された送受信機と、
前記送受信機に連結された処理回路であって、前記無線通信デバイスを制御して、少なくとも、
前記無線通信デバイスの明示的なアップリンク送信電力能力であって、前記無線通信デバイスの電力クラスと関連付けられた送信電力未満である明示的なアップリンク送信電力能力を判定し、
前記明示的なアップリンク送信電力能力を前記サービングネットワークにシグナリングする、
ように構成された処理回路と、
を備える無線通信デバイス。
【請求項４６】
前記処理回路が、前記無線通信デバイスを制御して、前記明示的なアップリンク送信電力能力についての指示を含む能力情報メッセージを前記サービングネットワークに送ることにより、前記明示的なアップリンク送信電力能力を前記サービングネットワークにシグナリングするように更に構成されている請求項４５に記載の無線通信デバイス。
【請求項４７】
前記処理回路が、前記無線通信デバイスを制御して、
前記サービングネットワークにシグナリングされた前記明示的なアップリンク送信電力能力に少なくとも部分的に基づいて前記サービングネットワークによって前記無線通信デバイス専用に設定された測定レポート用の設定パラメータを受信する
ように更に構成されている請求項４５に記載の無線通信デバイス。
【請求項４８】
前記設定パラメータが、サービングセルのチャネル状況が悪化したことを示す測定レポートを送るための閾値を定める設定パラメータを含む、請求項４７に記載の無線通信デバイス。
【請求項４９】
前記サービングネットワークが、ロングタームエボリューション（ＬＴＥ）無線アクセス技術を実装するネットワークを含み、前記設定パラメータがＡ２測定イベント閾値を定める、請求項４７に記載の無線通信デバイス。
【請求項５０】
アップリンク電力制限シナリオにおける通話途絶を低減するための方法であって、無線通信デバイスが、
前記無線通信デバイスがアップリンク電力制限状況に遭遇しており、前記無線通信デバイスの送信電力が前記無線通信デバイスの電力クラスレベルを下回るレベルに制限されていると判定することと、
前記アップリンク電力制限状況を示す測定レポートであって、ハンドオーバー判定を行うためにサービング基地局によって使用可能な測定レポートを前記サービング基地局に送ることと、
を含む方法。
【請求項５１】
前記測定レポートが、アップリンク電力制限状況をレポートするための専用の測定レポートを含む、請求項５０に記載の方法。
【請求項５２】
前記測定レポートに応じたハンドオーバーコマンドを受信することを更に含む、請求項５０に記載の方法。
【請求項５３】
前記無線通信デバイスがアップリンク電力制限状況に遭遇していると判定することが、前記無線通信デバイスが送信しているアップリンク送信電力が、前記無線通信デバイスの明示的な最大アップリンク送信電力の閾値範囲内であると判定することを含み、前記明示的な最大アップリンク送信電力は前記無線通信デバイスの前記電力クラスレベルと関連付けられた送信電力未満である、請求項５０から５２のいずれか一項に記載の方法。
【請求項５４】
前記無線通信デバイスが前記アップリンク電力制限状況に遭遇していると判定することが、シグナリング無線ベアラ（ＳＲＢ）送信用の未処理パケットデータユニット（ＰＤＵ）が閾値数より多く存在すると判定することを含む、請求項５０から５２のいずれか一項に記載の方法。
【請求項５５】
前記無線通信デバイスが前記アップリンク電力制限状況に遭遇していると判定することが、前記無線通信デバイスが、
前記無線通信デバイスの前記電力クラスレベルと関連付けられた送信電力と、前記無線通信デバイスが送信している送信電力と、の差を算出することと、
前記差を最大閾値（Ｐｍａｘ）と比較することと、
前記差が前記最大閾値を上回る場合に、前記無線通信デバイスがアップリンク電力制限状況に遭遇していると判定することと、
を含む、請求項５０から５２のいずれか一項に記載の方法。
【請求項５６】
無線通信デバイスであって、
セルラーネットワークのサービング基地局との間で信号を送受信するように構成された送受信機と、
前記送受信機に連結された処理回路であって、前記無線通信デバイスを制御して、少なくとも、
前記無線通信デバイスがアップリンク電力制限状況に遭遇しており、前記無線通信デバイスの送信電力が前記無線通信デバイスの電力クラスレベルを下回るレベルに制限されていると判定し、
前記アップリンク電力制限状況を示す測定レポートであって、ハンドオーバー判定を行うために前記サービング基地局によって使用可能な測定レポートを前記サービング基地局に送る、
ように構成された処理回路と、
を備える無線通信デバイス。
【請求項５７】
前記測定レポートが、アップリンク電力制限状況をレポートするための専用の測定レポートを含む、請求項５６に記載の無線通信デバイス。
【請求項５８】
前記処理回路が、前記無線通信デバイスを制御して、前記測定レポートに応じたハンドオーバーコマンドを受信するように更に構成されている請求項５６から５７のいずれか一項に記載の無線通信デバイス。
【発明の詳細な説明】
【技術分野】
【０００１】
［説明される実施形態の分野］
記載の各種実施形態は、概して無線通信に関し、より詳細には、アップリンク電力制限シナリオにおける通話途絶の低減に関するものである。
【背景技術】
【０００２】
無線通信デバイスには、そのデバイスの最大アップリンク送信電力能力を定める電力クラスを設定することができる。例えば、ロングタームエボリューション（ＬＴＥ）ネットワークにおいて電力クラス３のＵＥに分類されたＵＥ（ユーザ機器）は、＋２３ｄＢｍ（デシベル／ミリワット）という最大アップリンク送信電力能力を有し得る。ただし、連邦通信委員会（ＦＣＣ）の規制などの要因により、デバイスの送信電力が、最大アップリンク送信電力能力未満に制限されることが少なくない。この状況により、アップリンク送信電力制限シナリオとなることがある。
【０００３】
無線通信デバイスがアップリンク送信電力制限シナリオに遭遇すると、サービングセルの実効カバレージ領域が狭まり得る。そのため、セルの実効カバレージ半径は、デバイスの電力クラスに基づいて設定され得る。こうして、アップリンク送信電力制限シナリオにおいて、無線通信デバイスが、そのデバイスに送られたダウンリンクメッセージを正常に受信し、復号できるだけ十分にサービング基地局の範囲内にあるのに、送信電力制限により、アップリンクメッセージをサービング基地局に正しく送れない場合がある。
【０００４】
ダウンリンク電力に基づいてトリガーされた測定レポートを使用して、サービング基地局によってハンドオーバー判定をトリガーすることができる。ただし、ダウンリンク電力がデバイスの電力クラスに基づいて設定された許容パラメータ内であるが、そのデバイスが、セルの実効カバレージ領域を制限するアップリンク電力制限状況にあるというリンクバジェットがアンバランスな場合には、サービング基地局がそのデバイスの送信電力制限状況を認識しない場合がある。そのため、サービング基地局は、無線通信デバイスがそのセルの有効カバレージ範囲外にあり、アップリンクメッセージをサービング基地局に正しく送信できなくても、その無線通信デバイスがそのセルのカバレージ領域内にあると仮定し得る。そのため、送信電力制限シナリオにおけるアップリンク無線リンクの失敗により、ハンドオーバーがトリガーされず、通話途絶が生じ得る。
【０００５】
［説明される実施形態の概要］
本明細書に開示されているいくつかの実施形態例は、アップリンク電力制限シナリオにおける通話途絶の発生を低減することを提供する。例えば、いくつかの実施形態例に係る無線通信デバイスは、アップリンク電力制限状況に遭遇した際に、その状況で、通話途絶が発生する前にハンドオーバーをより迅速にトリガーするためのイベントをデバイスがレポートできるように、ハンドオーバーをトリガーするための測定レポートを送るためのダウンリンク電力閾値を自律的に定めるように構成され得る。加えて／あるいは、いくつかの実施形態例に係る無線通信デバイスは、アップリンク電力制限状況に遭遇した際に、そのデバイスがその状況により良好に対処し、通話途絶事象を低減できるように、そのデバイスが、実際に観測された状況以外の状況に遭遇していることをレポートして、アップリンクグラント及び／又はデータレートの修正をトリガーするように構成することができる。更なる実施例として、いくつかの実施形態例に係る無線通信デバイスを、そのデバイスの電力クラスと関連付けられた送信電力未満であり得るそのデバイスの明示的なアップリンク送信電力能力をサービングネットワークにシグナリングして、そのサービングネットワークがそのデバイスの明示的なアップリンク送信電力能力に基づいてそのデバイスの測定レポート閾値を専用に設定できるように追加的又は代替的に構成することができる。なおも更なる実施例として、いくつかの実施形態例に係る無線通信デバイスは、自身がアップリンク電力制限状況に遭遇していることをサービング基地局に示して、サービング基地局にその状況を知らせ、通話途絶が発生する前にサービング基地局がハンドオーバー判定を行えるようにする測定レポートを送るように追加的又は代替的に構成することができる。こうして通話途絶事象に遭遇することが減少することにより、ユーザは各種実施形態の恩恵を受け得る。
【０００６】
第１の実施形態においては、アップリンク電力制限シナリオにおける通話途絶を低減するための方法が提供される。第１の実施形態に係る方法は、無線通信デバイスがアップリンク電力制限状況に遭遇しており、その無線通信デバイスの送信電力がその無線通信デバイスの電力クラスレベルを下回るレベルに制限されているとその無線通信デバイスが判定することを含み得る。第１の実施形態に係る方法は、無線通信デバイスが、アップリンク電力制限状況に少なくとも部分的に基づいて、ハンドオーバーをトリガーするための測定レポートを送るためのダウンリンク電力閾値を定めることを更に含み得る。このダウンリンク電力閾値は、サービング基地局によって設定された閾値を上回り得る。第１の実施形態に係る方法は、ダウンリンク電力測定値に少なくとも部分的に基づいて、ダウンリンク電力閾値が満たされていると無線通信デバイスが判定することを追加的に含み得る。第１の実施形態に係る方法は、ダウンリンク電力閾値が満たされていることを受けて、無線通信デバイスがハンドオーバーをトリガーするための測定レポートをサービング基地局に送ることも含み得る。
【０００７】
第２の実施形態において、無線通信デバイスが提供される。第２の実施形態に係る無線通信デバイスは、送受信機と、その送受信機に連結された処理回路と、を含み得る。送受信機は、セルラーネットワークのサービング基地局との間で信号を送受信するように構成することができる。処理回路は、第２の実施形態に係る無線通信デバイスを制御して、その無線通信デバイスがアップリンク電力制限状況に遭遇しており、その無線通信デバイスの送信電力が、その無線通信デバイスの電力クラスレベルを下回るレベルに制限されていると少なくとも判定するように構成することができる。処理回路は、第２の実施形態に係る無線通信デバイスを制御して、アップリンク電力制限状況に少なくとも部分的に基づいて、ハンドオーバーをトリガーするための測定レポートを送るためのダウンリンク電力閾値を定めるように更に構成することができる。このダウンリンク電力閾値は、サービング基地局によって設定された閾値を上回り得る。処理回路は、第２の実施形態に係る無線通信デバイスを制御して、ダウンリンク電力測定値に少なくとも部分的に基づいて、ダウンリンク電力閾値が満たされていると判定し、ダウンリンク電力閾値が満たされていることを受けて、ハンドオーバーをトリガーするための測定レポートをサービング基地局に送るように追加的に構成することができる。
【０００８】
第３の実施形態においては、アップリンク電力制限シナリオにおける通話途絶を低減するためのコンピュータプログラム製品が提供される。第３の実施形態のコンピュータプログラム製品は、プログラムコードを記憶する少なくとも１つの非一時的コンピュータ可読記憶媒体を含み得る。第３の実施形態に係るプログラムコードは、無線通信デバイスがアップリンク電力制限状況に遭遇しており、その無線通信デバイスの送信電力がその無線通信デバイスの電力クラスレベルを下回るレベルに制限されているとその無線通信デバイスが判定するためのプログラムコードを含み得る。第３の実施形態に係るプログラムコードは、アップリンク電力制限状況に少なくとも部分的に基づいて、ハンドオーバーをトリガーするための測定レポートを送るためのダウンリンク電力閾値を定めるためのプログラムコードを更に含み得る。このダウンリンク電力閾値は、サービング基地局によって設定された閾値を上回り得る。第３の実施形態に係るプログラムコードは、ダウンリンク電力測定値に少なくとも部分的に基づいて、ダウンリンク電力閾値が満たされていると判定するためのプログラムコードを追加的に含み得る。第３の実施形態に係るプログラムコードは、ダウンリンク電力閾値が満たされていることを受けて、ハンドオーバーをトリガーするための測定レポートをサービング基地局に送るためのプログラムコードも含み得る。
【０００９】
第４の実施形態においては、アップリンク電力制限シナリオにおける通話途絶を低減するための方法が提供される。第４の実施形態に係る方法は、無線通信デバイスが、無線通信デバイスがアップリンク電力制限状況に遭遇しており、無線通信デバイスの送信電力が無線通信デバイスの電力クラスレベルを下回るレベルに制限されていると判定することと、アップリンク電力制限状況を受けてサービング基地局にレポートを送ることと、を含み得る。このレポートは、無線通信デバイスが、無線通信デバイスによって実際に観測された状況以外の状況に遭遇していることを示し、サービング基地局が無線通信デバイスに対するグラントレベルを下げるようにトリガーし得る。
【００１０】
第５の実施形態においては、無線通信デバイスが提供される。第５の実施形態に係る無線通信デバイスは、送受信機と、その送受信機に連結された処理回路と、を含み得る。送受信機は、セルラーネットワークのサービング基地局との間で信号を送受信するように構成することができる。処理回路は、第５の実施形態に係る無線通信デバイスを制御して、少なくとも、その無線通信デバイスがアップリンク電力制限状況に遭遇しており、その無線通信デバイスの送信電力がその無線通信デバイスの電力クラスレベルを下回るレベルに制限されていると判定し、アップリンク電力制限状況を受けてサービング基地局にレポートを送るように構成することができる。このレポートは、無線通信デバイスが、無線通信デバイスによって実際に観測された状況以外の状況に遭遇していることを示し、サービング基地局が無線通信デバイスに対するグラントレベルを下げるようにトリガーし得る。
【００１１】
第６の実施形態においては、アップリンク電力制限シナリオにおける通話途絶を低減するためのコンピュータプログラム製品が提供される。第６の実施形態に係るコンピュータプログラム製品は、プログラムコードを記憶している少なくとも１つの非一時的コンピュータ可読記憶媒体を含み得る。第６の実施形態に係るプログラムコードは、無線通信デバイスがアップリンク電力制限状況に遭遇しており、その無線通信デバイスの送信電力がその無線通信デバイスの電力クラスレベルを下回るレベルに制限されていると判定するためのプログラムコードと、アップリンク電力制限状況を受けてサービング基地局にレポートを送るためのプログラムコードと、を含み得る。このレポートは、無線通信デバイスが、無線通信デバイスによって実際に観測された状況以外の状況に遭遇していることを示し、サービング基地局が無線通信デバイスに対するグラントレベルを下げるようにトリガーし得る。
【００１２】
第７の実施形態においては、アップリンク電力制限シナリオにおける通話途絶を低減するための方法が提供される。第７の実施形態に係る方法は、無線通信デバイスが、無線通信デバイスがアップリンク電力制限状況に遭遇しており、無線通信デバイスの送信電力が無線通信デバイスの電力クラスレベルを下回るレベルに制限されていると判定することと、アップリンク電力制限状況を受けてアップリンク送信データの到着を遅くするために、アップリンク電力制限状況についての指示を無線通信デバイスのトランスポート層又はアプリケーション層のうちの１つ以上に内部的にシグナリングすることと、を含み得る。
【００１３】
第８の実施形態においては、無線通信デバイスが提供される。第８の実施形態に係る無線通信デバイスは、送受信機と、その送受信機に連結された処理回路と、を含み得る。送受信機は、セルラーネットワークとの間で信号を送受信するように構成することができる。処理回路は、第８の実施形態の無線通信デバイスを制御して、少なくとも、その無線通信デバイスがアップリンク電力制限状況に遭遇しており、その無線通信デバイスの送信電力が、その無線通信デバイスの電力クラスレベルを下回るレベルに制限されていると判定し、アップリンク電力制限状況を受けてアップリンク送信データの到着を遅くするために、アップリンク電力制限状況についての指示をその無線通信デバイスのトランスポート層又はアプリケーション層のうちの１つ以上に内部的にシグナリングするように構成することができる。
【００１４】
第９の実施形態においては、アップリンク電力制限シナリオにおける通話途絶を低減するためのコンピュータプログラム製品が提供される。第９の実施形態に係るコンピュータプログラム製品は、プログラムコードを記憶している少なくとも１つの非一時的コンピュータ可読記憶媒体を含み得る。第９の実施形態に係るプログラムコードは、無線通信デバイスがアップリンク電力制限状況に遭遇しており、その無線通信デバイスの送信電力が、その無線通信デバイスの電力クラスレベルを下回るレベルに制限されていると判定するためのプログラムコードと、アップリンク電力制限状況を受けてアップリンク送信データの到着を遅くするために、アップリンク電力制限状況についての指示をその無線通信デバイスのトランスポート層又はアプリケーション層のうちの１つ以上に内部的にシグナリングするためのプログラムコードと、を含み得る。
【００１５】
第１０の実施形態においては、アップリンク電力制限シナリオにおける通話途絶を低減するための方法が提供される。第１０の実施形態に係る方法は、無線通信デバイスが無線通信デバイスの明示的なアップリンク送信電力能力を判定することを含み得る。明示的なアップリンク送信電力能力は、無線通信デバイスの電力クラスと関連付けられた送信電力未満であり得る。第１０の実施形態に係る方法は、無線通信デバイスが、明示的なアップリンク送信電力能力をサービングネットワークにシグナリングすることを更に含み得る。
【００１６】
第１１の実施形態においては、無線通信デバイスが提供される。第１１の実施形態に係る無線通信デバイスは、送受信機と、その送受信機に連結された処理回路と、を含み得る。送受信機は、セルラーネットワークとの間で信号を送受信するように構成することができる。処理回路は、第１１の実施形態に係る無線通信デバイスを制御して、少なくともその無線通信デバイスの明示的なアップリンク送信電力能力を判定するように構成することができる。明示的なアップリンク送信電力能力は、無線通信デバイスの電力クラスと関連付けられた送信電力未満であり得る。処理回路は、第１１の実施形態に係る無線通信デバイスを制御して、明示的なアップリンク送信電力能力をサービングネットワークにシグナリングするように更に構成することができる。
【００１７】
第１２の実施形態においては、アップリンク電力制限シナリオにおける通話途絶を低減するためのコンピュータプログラム製品が提供される。第１２の実施形態のコンピュータプログラム製品は、プログラムコードを記憶する少なくとも１つの非一時的コンピュータ可読記憶媒体を含み得る。第１２の実施形態に係るプログラムコードは、無線通信デバイスの明示的なアップリンク送信電力能力を判定するためのプログラムコードを含み得る。明示的なアップリンク送信電力能力は、無線通信デバイスの電力クラスと関連付けられた送信電力未満であり得る。第１２の実施形態に係るプログラムコードは、明示的なアップリンク送信電力能力をサービングネットワークにシグナリングするためのプログラムコードを更に含み得る。
【００１８】
第１３の実施形態においては、アップリンク電力制限シナリオにおける通話途絶を低減するための方法が提供される。第１３の実施形態に係る方法は、無線通信デバイスが、無線通信デバイスがアップリンク電力制限状況に遭遇しており、無線通信デバイスの送信電力が無線通信デバイスの電力クラスレベルを下回るレベルに制限されていると判定することと、アップリンク電力制限状況を示す測定レポートをサービング基地局に送ることと、を含み得る。この測定レポートは、サービング基地局がハンドオーバー判定を行うのに使用でき得る。
【００１９】
第１４の実施形態においては、無線通信デバイスが提供される。第１４の実施形態に係る無線通信デバイスは、送受信機と、その送受信機に連結された処理回路と、を含み得る。送受信機は、セルラーネットワークのサービング基地局との間で信号を送受信するように構成することができる。処理回路は、第１４の実施形態に係る無線通信デバイスを制御して、少なくとも、その無線通信デバイスがアップリンク電力制限状況に遭遇しており、その無線通信デバイスの送信電力がその無線通信デバイスの電力クラスレベルを下回るレベルに制限されていると判定し、アップリンク電力制限状況を示す測定レポートをサービング基地局に送るように構成することができる。この測定レポートは、サービング基地局がハンドオーバー判定を行うのに使用でき得る。
【００２０】
第１５の実施形態においては、アップリンク電力制限シナリオにおける通話途絶を低減するためのコンピュータプログラム製品が提供される。第１５の実施形態に係るコンピュータプログラム製品は、プログラムコードを記憶している少なくとも１つの非一時的コンピュータ可読記憶媒体を含み得る。第１５の実施形態に係るプログラムコードは、無線通信デバイスがアップリンク電力制限状況に遭遇しており、その無線通信デバイスの送信電力が、その無線通信デバイスの電力クラスレベルを下回るレベルに制限されていると判定するためのプログラムコードと、アップリンク電力制限状況を示す測定レポートをサービング基地局に送るためのプログラムコードと、を含み得る。この測定レポートは、サービング基地局がハンドオーバー判定を行うのに使用でき得る。
【００２１】
上記の概要は、単に、本発明のいくつかの態様の基本的な理解のために本発明のいくつかの実施形態例を要約することを目的とする。したがって、上記の実施形態例は単に実施例であって、本発明の趣旨の範囲をいかなる意味においても狭めると解釈されないことが理解されよう。本発明の他の実施形態、態様、及び利点は、例として、説明される実施形態の原理を例示する添付図と共に考慮される、下記の「発明を実施するための形態」から明らかとなるであろう。
【００２２】
説明される実施形態、及びその利点は、添付図面と併せて以下の説明を参照することによって、最も良好に理解することができる。これらの図面は、説明される実施形態の趣旨及び範囲から逸脱することなく、当業者によって、説明される実施形態に実施することができる、形態及び詳細のいかなる変更も、決して限定するものではない。
【図面の簡単な説明】
【００２３】
【図１】アップリンク電力制限シナリオにおけるサービングセルの実効カバレージ領域の制限を示す図である。
【図２】いくつかの実施形態例に係る、無線通信システムを示す図である。
【図３】いくつかの実施形態例に係る、無線通信デバイス上に実装可能な装置のブロック図である。
【図４】いくつかの実施形態例に係る、無線通信デバイス上に実装可能な装置の別のブロック図である。
【図５】いくつかの実施形態例に係る、基地局及び／又は他のネットワークエンティティ上に実装可能な装置のブロック図である。
【図６】いくつかの実施形態例に係る、アップリンク電力制限シナリオにおける通話途絶を低減するための方法例に係るフローチャートである。
【図７】いくつかの実施形態例に係る、アップリンク電力制限シナリオにおける通話途絶を低減するための別の方法例に係るフローチャートである。
【図８】いくつかの実施形態例に係る、アップリンク電力制限シナリオにおける通話途絶を低減するための更なる方法例に係るフローチャートである。
【図９】いくつかの実施形態例に係る、アップリンク電力制限シナリオにおける通話途絶を低減するための更に別の方法例に係るフローチャートである。
【図１０】いくつかの実施形態例に係る、アップリンク電力制限シナリオにおける通話途絶の低減を促進するための、サービングネットワークによって実行可能な方法例に係るフローチャートである。
【図１１】いくつかの実施形態例に係る、アップリンク電力制限シナリオにおける通話途絶を低減するための更なる方法例に係るフローチャートである。
【図１２】いくつかの実施形態例に係る、アップリンク電力制限シナリオにおける通話途絶の低減を促進するための、サービングネットワークによって実行できる別の方法例に係るフローチャートである。
【発明を実施するための形態】
【００２４】
本節には、本明細書に係る方法及び装置の代表的な応用形態が記載されている。これらの例は、更なる前後関係を提供し、説明する実施形態の理解を助けることのみを目的として提供される。したがって、説明される実施形態は、これらの具体的な詳細の一部又は全てを伴わずに実施され得るということは当業者には明白であろう。他の場合、説明される実施形態を不必要に不明瞭化することを回避するために、周知のプロセス工程は、詳細には説明されていない。他の適用が可能であり、以下の例は限定的なものと解釈されるべきでない。
【００２５】
以下の詳細な説明では、説明の一部を形成し、例示として説明される実施形態に係る具体的な実施形態が示される添付の図面が参照される。これらの実施形態は、当業者が説明される実施形態を実施できるように十分詳細に説明されるが、これらの例は限定的なものでなく、他の実施形態が使用されてもよく、説明される実施形態の趣旨及び範囲から逸脱せずに変更が行われてもよいということが理解されよう。
【００２６】
いくつかの実施形態例は、アップリンク電力制限シナリオにおける通話途絶の発生を低減する。図１は、いくつかの実施形態例によって対処され得るアップリンク送信電力制限シナリオの例を示す。図１では、サービング基地局１０２が無線通信デバイス１０４に、セルラーネットワークへのアクセスを提供し得る。基地局１０２は、例えば、各種実施形態における任意の基地局、送受信基地局（ＢＴＳ）、ノードＢ、進化型ノードＢ（ｅＮＢ）、又は他のセルラー基地局を含み得る。そのため、基地局１０２によって具現化される基地局の種類は、基地局１０２によって使用される無線アクセス技術（ＲＡＴ）に応じて異なり得る。例えば、基地局１０２がＬＴＥ又はＬＴＥ−Ａｄｖａｎｃｅｄ（ＬＴＥ−Ａ）などのロングタームエボリューション（ＬＴＥ）ＲＡＴを実装する各種実施形態において、基地局１０２はｅＮＢであり得る。無線通信デバイス１０４は、例えば、スマートフォンデバイス、タブレットコンピューティングデバイス、ラップトップコンピュータ、又はセルラーネットワーク上で動作するように構成可能な他のコンピューティングデバイスであり得る。
【００２７】
サービング基地局１０２は、カバレージエリア１０６を有するセルとなり得る。カバレージエリア１０６は、例えば、無線通信デバイス１０４の電力クラスに相関し得る。その際、カバレージエリア１０６は、無線通信デバイス１０４が、サービング基地局１０２によって送ることのできるダウンリンクメッセージの受信及び復号の両方を正しく行うことができ、かつ、自身の電力クラスに準拠した自身の最大送信電力を使用した際に、サービング基地局１０２にアップリンクメッセージを正常に送信できる領域を定め得る。そのため、例えば、無線通信デバイス１０４が、２３ｄＢｍの送信電力を有するＬＴＥ電力クラス３のＵＥである場合、カバレージエリア１０６は、無線通信デバイス１０４によって送られたアップリンク送信がサービング基地局１０２に正しく到達できる領域を定め得る。いくつかの実施形態例において、カバレージエリア１０６は、所与のデバイス電力クラスにおける少なくともある閾値のブロック誤り率（ＢＬＥＲ）を満たせる領域として定めることができ、そのデバイス電力クラスと関連付けられた送信電力まではアップリンク送信が行われ得ると想定することができる。
【００２８】
様々な状況のために、無線通信デバイス１０４の電力は、自身の電力クラス未満の送信電力に制限され得る。例えば、無線通信デバイス１０４の電力は、１５ｄＢｍの送信電力に制限され得る。無線通信デバイス１０４の送信電力制限により、サービングセルの有効範囲が、エリア１０６よりも狭い、エリア１０８に制限され得る。そのため、無線通信デバイス１０４は、電力制限シナリオにおいてエリア１０６全体でダウンリンクメッセージを正常に受信及び復号でき得るが、無線通信デバイス１０４がエリア１０８外に移動すると、無線通信デバイス１０４によって送られたアップリンクメッセージは、サービング基地局１０２に正常に到達しない場合がある。そのため、無線通信デバイス１０４が、参照符号１１０で示した方向に移動している場合には、リンクバジェットのバランスが悪い状況となり、通話が途絶し得る。そのため、無線通信デバイス１０４は、ダウンリンク電力測定値が満足され得るために従来のハンドオーバー測定がトリガーされないことから、このサービングセルに留まり得る。しかし、無線通信デバイス１０４は、自身のアップリンク電力制限状況ゆえに、サービング基地局１０２にアップリンクメッセージを正しく送れない場合があり、結果的にアップリンク無線リンク障害及び通話の途絶が生じ得る。本明細書に開示された、いくつかの実施形態例は、かかるシナリオにおける通話障害の発生を低減する。
【００２９】
図２は、いくつかの例示的実施形態に係る無線通信システム２００を示す。システム２００は、非制限的な例として、スマートフォンデバイスなどのセルラー電話、タブレットコンピューティングデバイス、ラップトップコンピューティングデバイス、又はセルラーネットワークに接続できるように構成可能な他のコンピューティングデバイスとして具現化できる無線通信デバイス２０２を含み得る。
【００３０】
無線通信デバイス２０２は、サービングセルラーネットワークのサービングセル２０４にキャンプオンされ得る。サービングセル２０４は、関連付けられたサービング基地局を有し得る。このサービング基地局は、サービングセルラーネットワークによって実装されるＲＡＴの種類に応じて、非制限的な例として、基地局、ＢＴＳ、ノードＢ、ｅＮＢなど種々のセルラー基地局のいずれかとして具現化され得る。そのため、サービングセルラーネットワークは、非制限的な例として、ＬＴＥ  ＲＡＴ、ユニバーサル移動通信システム（ＵＭＴＳ）ＲＡＴ、符号分割多重アクセス（ＣＤＭＡ）ＲＡＴ、ＣＤＭＡ２０００  ＲＡＴ、時分割同期符号分割多元接続（ＴＤ−ＳＣＤＭＡ）ＲＡＴ、移動通信用のグローバルシステム（ＧＳＭ（登録商標））ＲＡＴ、高速パケットデータ（ＨＲＰＤ）ＲＡＴ、１ｘ／ＥＶ−ＤＯ、又は他の既存の若しくは将来開発されるセルラーＲＡＴなど、種々のセルラーＲＡＴのいずれかを実装することができる。
【００３１】
無線通信デバイス２０２は、代替セル２０６のカバレージ範囲内にもあり得るか、かつ／又は動作中に代替セル２０６のカバレージ範囲にも入り得る。代替セル２０６は、いくつかの実施形態例において、例えば、サービングセルラーネットワーク内のサービングセル２０４の近隣セルであり得る。別例として、いくつかの実施形態例では、代替セル２０６が、サービングセルラーネットワークによって使用されるＲＡＴと同時配置され得る、代替ＲＡＴのセルであり得る。そのため、代替セル２０６は、非制限的な例として、ＬＴＥ  ＲＡＴ、ＵＭＴＳ  ＲＡＴ、ＣＤＭＡ  ＲＡＴ、ＴＤ−ＳＣＤＭＡ  ＲＡＴ、ＧＳＭ  ＲＡＴ、ＨＲＰＤ  ＲＡＴ、１ｘ／ＥＶ−ＤＯ、又は他の既存の若しくは将来開発されるセルラーＲＡＴを含む任意の種類のセルラーＲＡＴを使用できることが理解されよう。
【００３２】
サービングセル２０４のチャネル状況が悪化すると、無線通信デバイス２０２は代替セル２０６にハンドオーバーすることができる。かかるハンドオーバーは、例えば、サービングセル２０４及び代替セル２０６の両方が同じＲＡＴを利用する周波数間ハンドオーバーであり得る。別例として、サービングセル２０４から代替セル２０６へのハンドオーバーは、サービングセル２０４及び代替セル２０６が異なるＲＡＴを実装する各種実施形態における無線アクセス技術間（ＲＡＴ間）ハンドオーバーであり得る。いくつかの実施形態例によれば、サービングセル２０４から代替セル２０６へのハンドオーバーは、無線通信デバイス２０２がサービングセル２０４にキャンプオンされている間にアップリンク送信電力制限シナリオに遭遇することを受けてトリガーされ得る。
【００３３】
サービングセル２０４及び代替セル２０６が異なるＲＡＴを利用し、アップリンク送信電力制限シナリオを受けてサービングセル２０４から代替セル２０６へのＲＡＴ間ハンドオーバーがトリガーされ得る各種実施形態においては、２つのＲＡＴを使用しているセルが、重畳するカバレージ領域をもって同時配置され得る。代替セル２０６は、例えば、サービングセル２０４及び代替セル２０６によって使用可能なそれぞれのＲＡＴのそれぞれのカバレージ領域に基づいて、サービングセル２０４よりも広いカバレージ領域を有し得る。そのため、いくつかの実施形態例では、無線通信デバイス２０２がアップリンク送信電力制限シナリオに遭遇している場合における代替セルへのハンドオーバーによって、無線通信デバイス２０２にとって良好なカバレージを提供することができ、通話途絶を防ぐことができる。非制限的な例として、サービングセル２０４は、ＵＭＴＳセルや１ｘ／ＥＶ−ＤＯセルなど１つ以上のレガシーＲＡＴセルと重ねることのできるＬＴＥセルであり得る。レガシーセルは、ＬＴＥセルよりも広いカバレージ領域を有し得る。そのため、いくつかの実施形態例によれば、無線通信デバイス１０４が、ＬＴＥセルにキャンプオンされている間にアップリンク送信電力制限シナリオに遭遇すると、レガシーＲＡＴへのＲＡＴ間ハンドオーバーがトリガーされ得る。
【００３４】
図３は、いくつかの実施形態例に係る、無線通信デバイス２０２上に実装可能な装置３００のブロック図を示す。装置３００は、メモリ３０６に連結され、無線送受信機３０４にも連結されたプロセッサ３０２を含み得る。プロセッサ３０２は、メモリ３０６に記憶されたプロセッサ命令を読み出し、書き込み、実行するように構成することができる。プロセッサ３０２は、無線送受信機３０４を制御するように構成することもできる。無線送受信機３０４は、アンテナ３０８に連結することができる。いくつかの実施形態において、無線送受信機３０４は、アンテナ３０８と組み合わせて、無線通信デバイス２０２が、サービングセル２０４及び／又は代替セル２０６を介するなどして、１つ以上の無線ネットワークに接続できるように構成することができる。プロセッサ３０２は、ハードウェア、ソフトウェア（例えば、メモリ３０６に記憶できるソフトウェア）、ファームウェア（例えば、メモリ３０６に記憶できるファームウェア）、及び／又はそれらの何らかの組み合わせにより、種々の例示的実施形態に係る無線通信デバイス２０２によって実施可能な１つ以上の処理を制御するように構成可能であることが理解されよう。
【００３５】
図４は、装置４００のブロック図を示す。装置４００は、いくつかの実施形態例に係る無線通信デバイス２０２上で実装可能な別の装置例である。装置４００は、無線通信デバイス２０２などのコンピューティングデバイス上で具体化されると、コンピューティングデバイスが１つ以上の各種実施形態例に係るシステム２００内で動作することを可能にするように構成された装置を提供することができる。図４に図示され、同図に関して以下に記載されている構成要素、機器又は要素は、必須ではなく、したがって、一部は、特定の実施形態において省略できることが理解されよう。更に、いくつかの実施形態は、図４に図示されており、かつ同図に関して記載されている構成要素、機器又は要素以外の更なる又は異なるこれらのものを含み得る。
【００３６】
いくつかの実施形態例において、装置４００は、本明細書に開示される１つ以上の実施形態に係るアクションを実行するように構成できる処理回路４１０を含み得る。そのため、処理回路４１０は、各種実施形態例に係る装置４００の１つ以上の機能を実行し、かつ／又はその機能の実行を制御するように構成することができるため、各種実施形態例に係る無線通信デバイス２０２の機能を実行するための手段を提供し得る。処理回路４１０は、１つ以上の実施形態例によるデータ処理、アプリケーション実行及び／又は他の処理、並びに管理サービスを実行するように構成できる。
【００３７】
いくつかの実施形態において、処理回路４１０などの、装置４００又はその一部分若しくはその構成要素は、それぞれが１つ以上のチップを含み得る１つ以上のチップセットを含み得る。したがって、処理回路４１０及び／又は装置４００の１つ以上の更なる構成要素は、場合によっては、チップセット上で一実施形態を具体化するように構成され得る。装置４００の１つ以上の構成要素がチップセットとして具体化されているいくつかの実施形態例において、チップセットは、コンピューティングデバイス上に実装されると、又はそうでなければコンピューティングデバイスに操作可能に接続されると、コンピューティングデバイスがシステム２００内で動作できるようにすることができる。そのため、例えば、装置４００の１つ以上の構成要素が、セルラーベースバンドチップセットを提供することができ、それによってコンピューティングデバイスがセルラーネットワーク内で動作できるようになる。
【００３８】
いくつかの実施形態例において、処理回路４１０は、プロセッサ４１２を含み得、図４に示すようないくつかの実施形態において、メモリ４１４を更に含み得る。処理回路４１０は、送受信機４１６及び／又は管理モジュール４１８と通信可能であるか、又は別の方法でそれらを制御することができる。
【００３９】
プロセッサ４１２は、様々な形で具体化できる。例えば、プロセッサ４１２は、マイクロプロセッサ、コプロセッサ、コントローラ、又は、例えば、ＡＳＩＣ（特定用途向け集積回路）、ＦＰＧＡ（フィールドプログラマブルゲートアレイ）、それらのいくつかの組み合わせなどの集積回路を含む他の各種コンピューティング装置若しくは処理機器など、各種ハードウェアベースの処理手段として具体化することができる。単一プロセッサとして図示されるが、プロセッサ４１２は、複数のプロセッサで構成され得ることが理解されよう。複数のプロセッサが互いに動作通信可能で、本明細書に記載される装置４００の１つ以上の機能を実行するよう一体に構成できる。いくつかの実施形態例に係るプロセッサ４１２は、プロセッサ３０２の一実施形態であり得る。いくつかの実施形態例において、プロセッサ４１２は、メモリ４１４に記憶され得る命令又はそうでなければプロセッサ４１２がアクセスできる命令を実行するように構成できる。そのため、プロセッサ４１２は、ハードウェア又はハードウェアとソフトウェアとの組み合わせのどちらによって構成されていても、それに応じて、各種実施形態に係る処理を実行することができる。
【００４０】
いくつかの実施形態例において、メモリ４１４は、１つ以上のメモリデバイスを含み得る。メモリ４１４は、固定型及び／又は着脱式メモリデバイスを含み得る。いくつかの実施形態において、メモリ４１４は、プロセッサ４１２によって実行され得るコンピュータプログラム命令を記憶できる非一時的コンピュータ可読記憶媒体を提供できる。この点に関し、メモリ４１４は、装置４００が１つ以上の実施形態例に係る様々な機能を実行できるようにする情報、データ、アプリケーション、命令等を記憶するように構成できる。いくつかの実施形態例に係るメモリ４１４は、メモリ３０６の一実施形態であり得る。いくつかの実施形態において、メモリ４１４は、装置４００の構成要素間で情報を渡すためのバスを介して、プロセッサ４１２、送受信機４１６、又は管理モジュール４１８のうちの１つ以上と通信することができる。
【００４１】
装置４００は、送受信機４１６を更に含み得る。送受信機４１６は、装置４００が１つ以上のセルラーネットワークとの間で無線信号を送受信できるようにすることができる。そのため、送受信機４１６は、サービングセル２０４及び／又は代替セル２０６によって実装可能な任意の種類のセルラーＲＡＴをサポートするように構成することができる。いくつかの実施形態例において、送受信機４１６は、送受信機３０４の一実施形態であり得る。
【００４２】
装置４００は、管理モジュール４１８を更に含み得る。管理モジュール４１８は、回路、ハードウェア、処理デバイス（例えばプロセッサ４１２）によって実行可能なコンピュータ可読プログラム命令を記憶しているコンピュータ可読媒体（例えばメモリ４１４）を備えるコンピュータプログラム製品、又はそれらの何からの組み合わせなど、種々の手段として具現化することができる。いくつかの実施形態において、プロセッサ４１２（又は処理回路４１０）は、管理モジュール４１８を含み得るか、又は他の方法で制御し得る。管理モジュール４１８は、いくつかの実施形態例において、無線通信デバイス２０２がアップリンク電力制限状況に遭遇する時期を判定し、及び／又は他の方法で、本明細書において以下で更に記載する１つ以上の各種実施形態例に係る、アップリンク電力制限シナリオにおける通話途絶の低減をサポートするための処理を行うように構成され得る。
【００４３】
図５は、実施形態例に係る、サービングセル２０４と関連付けられるような基地局及び／又は、他のネットワークエンティティにおいて実装可能な装置５００のブロック図を示す。図５に図示されており、かつ同図に関して記載されている構成要素、機器又は要素は必須ではなく、したがって、一部は、特定の実施形態において省略できることが理解されよう。更に、いくつかの実施形態は、図５に図示されており、かつ同図に関して記載されている構成要素、機器又は要素以外の更なる又は異なるこれらのものを含み得る。
【００４４】
いくつかの実施形態例において、装置５００は、本明細書に開示される１つ以上の実施形態に係るアクションを実行するように構成できる処理回路５１０を含み得る。そのため、処理回路５１０は、各種実施形態例に係る装置５００の１つ以上の機能を実行し、かつ／又はその機能の実行を制御するように構成することができるため、各種実施形態例に係るサービングネットワークのサービング基地局及び／又は他のネットワークエンティティの機能を実行するための手段を提供し得る。処理回路５１０は、１つ以上の実施形態例によるデータ処理、アプリケーション実行及び／又は他の処理、並びに管理サービスを実行するように構成できる。
【００４５】
いくつかの実施形態において、処理回路５１０などの、装置５００又はその一部分若しくはその構成要素は、それぞれが１つ以上のチップを含み得る１つ以上のチップセットを含み得る。したがって、処理回路５１０及び／又は装置５００の１つ以上の更なる構成要素は、場合によっては、チップセット上で一実施形態を実装するように構成され得る。
【００４６】
いくつかの実施形態例において、処理回路５１０は、プロセッサ５１２を含み得、図５に示すようないくつかの実施形態において、メモリ５１４を更に含み得る。処理回路５１０は、送受信機５１６及び／又はハンドオーバー制御モジュール５１８と通信可能であるか、又は別の方法でそれらを制御することができる。
【００４７】
プロセッサ５１２は、様々な形で具体化できる。例えば、プロセッサ５１２は、マイクロプロセッサ、コプロセッサ、コントローラ、又は、例えば、ＡＳＩＣ（特定用途向け集積回路）、ＦＰＧＡ（フィールドプログラマブルゲートアレイ）、それらのいくつかの組み合わせなどの集積回路を含む他の各種コンピューティング装置若しくは処理機器など、各種ハードウェアベースの処理手段として具体化することができる。単一プロセッサとして図示されるが、プロセッサ５１２は、複数のプロセッサで構成され得ることが理解されよう。複数のプロセッサが互いに動作通信可能で、本明細書に記載される装置５００の１つ以上の機能を実行するよう一体に構成できる。複数のプロセッサを含むいくつかの実施形態例において、これら複数のプロセッサは、複数の装置（例えば、複数のネットワークエンティティ）にまたがって分散し得る。これら複数の装置は、互いに動作通信して、１つ以上の各種実施形態例に係るサービングセルラーネットワークの機能を提供することができる。いくつかの実施形態例において、プロセッサ５１２は、メモリ５１４に記憶され得る命令又はそうでなければプロセッサ５１２がアクセスできる命令を実行するように構成できる。そのため、プロセッサ５１２は、ハードウェア又はハードウェアとソフトウェアとの組み合わせのどちらによって構成されていても、それぞれの構成に応じて、各種実施形態に係る処理を実行することができる。
【００４８】
いくつかの実施形態例において、メモリ５１４は、１つ以上のメモリデバイスを含み得る。メモリ５１４は、固定型及び／又は着脱式メモリデバイスを含み得る。複数のメモリデバイスを含むいくつかの実施形態例において、これら複数のメモリデバイスは、複数の装置（例えば、複数のネットワークエンティティ）にまたがって分散し得る。これら複数の装置は、互いに動作通信して、１つ以上の各種実施形態例に係るサービングセルラーネットワークの機能を提供することができる。いくつかの実施形態において、メモリ５１４は、プロセッサ５１２によって実行され得るコンピュータプログラム命令を記憶できる非一時的コンピュータ可読記憶媒体を提供できる。この点に関し、メモリ５１４は、装置５００が１つ以上の実施形態例に係る様々な機能を実行できるようにする情報、データ、アプリケーション、命令等を記憶するように構成できる。いくつかの実施形態において、メモリ５１４は、装置５００の構成要素間で情報を渡すためのバスを介して、プロセッサ５１２、送受信機５１６、又はハンドオーバー制御モジュール５１８のうちの１つ以上と通信することができる。
【００４９】
装置５００は、送受信機５１６を更に含み得る。送受信機５１６は、装置５００が、無線通信デバイス２０２など、１つ以上の無線通信デバイスとの間で無線信号を送受信できるようにすることができる。そのため、送受信機５１６は、サービングセル２０４によって実装可能な任意の種類のセルラーＲＡＴに係る通信をサポートするように構成することができる。
【００５０】
装置５００は、ハンドオーバー制御モジュール５１８を更に含み得る。ハンドオーバー制御モジュール５１８は、回路、ハードウェア、処理デバイス（例えばプロセッサ５１４）によって実行可能なコンピュータ可読プログラム命令を記憶するコンピュータ可読媒体（例えばメモリ５１２）を備えるコンピュータプログラム製品、又はそれらの何らかの組み合わせなど、種々の手段として具現化することができる。いくつかの実施形態において、プロセッサ５１２（又は処理回路５１０）は、ハンドオーバー制御モジュール５１８を含み得るか、又は他の方法で制御し得る。ハンドオーバー制御モジュール５１８は、いくつかの実施形態例において、無線通信デバイス２０２によって送信できる測定レポートに基づいて無線通信デバイス２０２を代替セル２０６にハンドオーバーする判定などのハンドオーバー判定を行うように構成することができる。いくつかの実施形態例において、ハンドオーバー制御モジュール５１８は、本明細書において以下で更に記載のとおり、無線通信デバイス２０２の測定レポートイベント用の設定パラメータを定めるように追加的又は代替的に構成することができる。
【００５１】
いくつかの実施形態例に係る無線通信デバイス２０２は、アップリンク送信電力制限シナリオにおけるＲＡＴ間及び／又は周波数間ハンドオーバーなどのハンドオーバーをトリガーするための測定閾値を自律的に定めるように構成することができる。例えば、かかるいくつかの実施形態に係る無線通信デバイス２０２は、サービングセル２０４などのサービングセルのチャネル状況が閾値よりも悪化したことを示す測定レポートを送るためのダウンリンク電力閾値を定めることができる。より具体的な例として、サービングセル２０４がＬＴＥ  ＲＡＴを実装するいくつかの実施形態などいくつかの実施形態において、無線通信デバイス２０２は、アップリンク電力制限状況に遭遇したときに使用する、サービング基地局によって設定可能なＡ２測定閾値とは異なり得るＡ２測定イベント閾値を自律的に定めるように構成することができる。
【００５２】
かかる各種実施形態例が適用できる非制限的なシナリオ例として、サービング基地局は、Ａ２測定を送るための閾値を−１１０ｄＢｍのダウンリンク電力測定値として定めることができる。無線通信デバイス２０２は、例えば、２３ｄＢｍ電力クラスにありながら送信電力が１５ｄＢｍに制限され得る。かかるシナリオにおいて、いくつかの実施形態例に係る無線通信デバイス２０２は、８ｄＢｍの送信電力不均衡で動作していることを理由にＡ２測定を送るための閾値を−１０２ｄＢｍのダウンリンク電力測定値として自律的に定めることができる。そのため、いくつかの実施形態例に係る無線通信デバイス２０２は、ネットワークで設定されたＡ２測定イベント閾値（例えば−１１０ｄＢｍ）と送信電力不均衡（例えば８ｄＢｍ）に相当するオフセットとの合計を算出することによって閾値を自律的に定めるように構成することができる。そのため、−１０２ｄＢｍ以下のダウンリンク電力が測定された場合、無線通信デバイス２０２は、ダウンリンク電力が−１１０ｄＢｍ以下に下がるのを待たなければならないのではなく、サービング基地局にＡ２測定レポートを送ってハンドオーバーをトリガーすることができる。その結果、電力クラスに基づいてネットワーク側で定められた閾値を使用するよりも早くハンドオーバーが行われ得る。そのため、通話途絶の発生を低減することができる。
【００５３】
いくつかの実施形態例では、Ａ２測定を送るための閾値（例えば、いくつかの実施形態例に係る、ネットワークで定められた閾値及び／又はデバイスによって算出された閾値）が満たされると、無線通信デバイス２０２が直ちに測定レポートをトリガーすることができる。そのため、ハンドオーバーをより迅速にトリガーすることができる。
【００５４】
図６は、無線通信デバイス２０２が、アップリンク電力制限状況に遭遇したときに、ハンドオーバーをトリガーするための測定レポートを送るためのダウンリンク電力閾値を自律的に定めることのできるいくつかの実施形態例に係る、アップリンク電力制限シナリオにおける通話途絶を低減するための方法例に係るフローチャートを示す。例えば、処理回路４１０、プロセッサ４１２、メモリ４１４、又は管理モジュール４１８のうちの１つ以上が、図６に図示されており、かつ同図に関して記載されている処理を実行するための手段を提供することができる。
【００５５】
動作６００は、無線通信デバイス２０２がアップリンク電力制限状況に遭遇しており、無線通信デバイス２０２の送信電力が無線通信デバイス２０２の電力クラスレベル未満のレベルに制限されていると、無線通信デバイス２０２が判定することを含み得る。アップリンク電力制限状況は、例えば、パワーヘッドルーム値の低さ、シグナリング無線ベアラ（ＳＲＢ）送信用の未処理の無線リンク制御（ＲＬＣ）パケットデータユニット（ＰＤＵ）の多さ、それらの何らかの組み合わせなどの判定によって判定することができる。
【００５６】
例えば、いくつかの実施形態例において、動作６００は、無線通信デバイス２０２が、無線通信デバイス２０２が送信しているアップリンク送信電力が、無線通信デバイス２０２が制限され得る明示的な最大アップリンク送信電力の閾値範囲内であると判定することを含み得る。明示的な最大アップリンク送信電力は、無線通信デバイス２０２の電力クラスレベルと関連付けられた送信電力未満であり得る。そのため、いくつかの実施形態例において、動作３００は、利用できるパワーヘッドルーム値が閾値未満であると判定することを含み得る。
【００５７】
別例として、いくつかの実施形態例において、動作６００は、無線通信デバイス２０２が、自身の電力クラスレベルと関連付けられた送信電力と自身が送信している送信電力（例えば、そのデバイスの明示的な最大アップリンク送信電力）との差を算出し、その差を最大閾値（Ｐｍａｘ）と比較することを含み得る。その差がＰｍａｘを超える場合、無線通信デバイス２０２は、自身がアップリンク電力制限状況に遭遇していると判定することができる。
【００５８】
更なる例として、いくつかの実施形態例では、動作６００が、ＳＲＢ送信用の未処理ＰＤＵがある閾値よりも多いと無線通信デバイス２０２が判定することを含み得る。
【００５９】
動作６１０は、無線通信デバイス２０２が、アップリンク電力制限状況に少なくとも部分的に基づいて、ＲＡＴ間ハンドオーバー及び／又は周波数間ハンドオーバーなどのハンドオーバーをトリガーするための測定レポートを送るためのダウンリンク電力閾値を定めることを含み得る。定められたダウンリンク電力閾値は、サービング基地局によって設定された閾値を上回り得る。いくつかの実施形態例において、定められたダウンリンク電力閾値は、サービングセル２０４のチャネル状況（例えば、ダウンリンク電力測定値及び／又は他のチャネル品質指標）が閾値よりも悪化したことを示す測定レポートを送るための閾値であり得る。例えば、サービングセル２０４がＬＴＥ  ＲＡＴを実装する各種実施形態において、定められたダウンリンク電力閾値は、Ａ２測定イベント閾値であり得る。
【００６０】
いくつかの実施形態例において、動作６１０は、無線通信デバイス２０２が、無線通信デバイス２０２の電力クラスレベルと関連付けられた送信電力と、アップリンク電力制限状況ゆえに無線通信デバイス２０２に適用され得る制限された送信電力との差を表す送信電力不均衡に少なくとも部分的に基づいてダウンリンク電力閾値を定めることを含み得る。例えば、いくつかの実施形態例において、このダウンリンク電力閾値は、送信電力不均衡に相当するオフセットをネットワーク側で設定された閾値に加えることによって算出することができる。
【００６１】
動作６２０は、無線通信デバイス２０２が、ダウンリンク電力測定値に少なくとも部分的に基づいて、動作６１０で定めることのできるダウンリンク電力閾値が満たされていると判定することを含み得る。動作６３０は、算出されたダウンリンク電力閾値が満たされていることを受けて、無線通信デバイス２０２がハンドオーバーをトリガーするための測定レポートをサービング基地局に送ることも含み得る。無線通信デバイス２０２は、測定レポートを受けて、サービング基地局から無線通信デバイス２０２を代替セル２０６にリダイレクトするコマンドなどのハンドオーバーコマンドを受信し得る。そのため、いくつかの実施形態例に係る無線通信デバイス２０２は、アップリンク電力制限状況に遭遇したときにダウンリンク電力閾値を自律的に定めることにより、アップリンク電力制限状況によって通話途絶が発生する前にハンドオーバーが行われるようにトリガーし得る。
【００６２】
いくつかの実施形態例において、無線通信デバイス２０２は、無線通信デバイス２０２がアップリンク電力制限状況に遭遇している場合に、無線通信デバイス２０２によって実際に観測された状況以外の状況に遭遇していることをサービング基地局にシグナリングするように構成することができる。図７は、かかるいくつかの実施形態例に係る、アップリンク電力制限シナリオにおける通話途絶を低減するための方法例に係るフローチャートを示す。例えば、処理回路４１０、プロセッサ４１２、メモリ４１４、又は管理モジュール４１８のうちの１つ以上が、図７に例示されており、かつ同図に関して記載されている処理を実行するための手段を提供することができる。
【００６３】
動作７００は、無線通信デバイス２０２がアップリンク電力制限状況に遭遇しており、無線通信デバイス２０２の送信電力が無線通信デバイス２０２の電力クラスレベル未満のレベルに制限されていると無線通信デバイス２０２が判定することを含み得る。例えば、いくつかの実施形態例において、動作７００は、無線通信デバイス２０２が送信しているアップリンク送信電力が、無線通信デバイス２０２が制限され得る明示的な最大アップリンク送信電力の閾値範囲内であると、無線通信デバイス２０２が判定することを含み得る。明示的な最大アップリンク送信電力は、無線通信デバイス２０２の電力クラスレベルと関連付けられた送信電力未満であり得る。そのため、いくつかの実施形態例において、動作７００は、利用できるパワーヘッドルーム値が閾値未満であると判定することを含み得る。
【００６４】
別例として、いくつかの実施形態例において、動作７００は、無線通信デバイス２０２が、その無線通信デバイスの電力クラスレベルと関連付けられた送信電力とその無線通信デバイスが送信している送信電力（例えば、そのデバイスの明示的な最大アップリンク送信電力）との差を算出することと、その差を最大閾値（Ｐｍａｘ）と比較することと、を含み得る。その差がＰｍａｘを超える場合、無線通信デバイス２０２は、自身がアップリンク電力制限状況に遭遇していると判定することができる。
【００６５】
更なる例として、いくつかの実施形態例においては、動作７００が、ＳＲＢ送信用の未処理ＰＤＵがある閾値よりも多いと無線通信デバイス２０２が判定することを含み得る。
【００６６】
動作７１０は、無線通信デバイス２０２が、アップリンク電力制限状況を受けて、自身によって実際に観測された状況以外の状況に遭遇していることを示すレポートをサービング基地局に送ることを含み得る。その変更された、つまり偽の状況を示すレポートは、その無線通信デバイスに対するグラントレベルをサービング基地局に下げさせる目的で送ることができる。例えば、無線通信デバイス２０２は、観測されたバッファステータスに比して控え目な（例えば過小な）バッファステータスレポート（ＢＳＲ）をシグナリングするように構成することができる。別例として、無線通信デバイス２０２は、実際に観測されたパワーヘッドルーム値を過小にレポートし得る控え目なパワーヘッドルームレポート（ＰＨＲ）を送るように追加的又は代替的に構成することができる。それによってサービング基地局が影響を受け、例えば、無線通信デバイス２０２に対するグラントレベルを下げ得る。その結果、無線通信デバイス２０２は、下げられたグラントを使用して、アップリンク電力制限状況を受けてアップリンクデータレートを低速化するように構成することができ、それにより、電力制限シナリオにおける通話途絶の発生を低減することができる。
【００６７】
そのため、無線通信デバイス２０２の送信電力レベルは、経路損失（ＰＬ）と、そのネットワークによってそのデバイスに割り当てられたリソースブロックの数との両方の組み合わせによる影響を受け得る。ＢＳＲ及び／又はＰＨＲを控え目にレポート（例えば過小にレポート）することにより、ネットワークが無線通信デバイス２０２に割り当てるリソースブロックを減らすようにトリガーすることができ、それにより、無線通信デバイス２０２のアップリンク送信電力能力を増やし、アップリンク電力制限状況において通話途絶が生じる可能性を下げることができる。
【００６８】
ＢＳＲが控え目にレポートされ得る各種実施形態において、無線通信デバイス２０２は、自身のデータレートを減速し、低いＢＳＲを送るように構成することができる。そのため、無線通信デバイス２０２は、アップリンクバッファにおいて実際に保留中のデータよりも少ないデータが保留中であることを示すＢＳＲを送ることができる。例えば、実際のＢＳＲ値は６３であり得るが、無線通信デバイス２０２は、アップリンク送信電力制限シナリオを受けて、それよりも低い３０などのＢＳＲを送ることができる。その結果、ネットワークは、無線通信デバイス２０２に割り当てられるリソースブロックの数を減らすことができ、それによってサービング基地局がそのデバイスからの信号を検知できる可能性を高めることができる。
【００６９】
更なる例として、パワーヘッドルームを控え目にレポートできる各種実施形態においては、無線通信デバイス２０２が自身の実際のパワーヘッドルームを過小にレポートすることができる。実際のパワーヘッドルームは、例えば、定格送信電力（例えば、そのデバイスの電力クラスと関連付けられた送信電力）と、アップリンク送信電力制限シナリオにおいて制限され得る、そのデバイスが送信している実際の送信電力との差と定義することができる。かかるシナリオにおいてパワーヘッドルームを過小にレポートすることにより、サービング基地局は無線通信デバイス２０２に対するグラントを下げるか、又はことによると無線通信デバイス２０２にグラントを全く付与しないようにすることができ、それによってそのデバイスのデータレートを下げ、アップリンク送信電力制限シナリオにおいても通話を持続させることができる。かかるいくつかの実施形態においては、パワーヘッドルームの最大閾値（Ｐｍａｘ）を定めることができる。実際のパワーヘッドルーム測定値がＰｍａｘを超えた場合、無線通信デバイス２０２は、自身がアップリンク送信電力制限シナリオにあると判定し、自身のパワーヘッドルームを過小にレポートすることができる。その電力シナリオが後に好転した場合、無線通信デバイス２０２は、自身のＰＨＲを調整して、大きいパワーヘッドルーム値をレポートし、かつ／又は実際に測定されたパワーヘッドルームをレポートして、サービング基地局から大きなグラントをトリガーすることができる。
【００７０】
無線通信デバイス２０２が、自身が実際に測定した状況以外の状況に遭遇しているというレポートをサービング基地局に送るように構成されているいくつかの実施形態例では、アップリンク送信電力制限シナリオにおいて控え目なＢＳＲ及び／又はＰＨＲをシグナリングするなどして、シグナリングを媒体アクセス制御（ＭＡＣ）層（例えばベースバンド層）で開始し、かつ／又は他の方法で直接処理することができる。
【００７１】
いくつかの実施形態例に係る無線通信デバイス２０２は、アップリンク電力制限状況を受けて上位層からのアップリンク送信データの到着を内部的に遅くするように構成することができる。図８は、このようないくつかの実施形態例に係る、アップリンク電力制限シナリオにおける通話途絶を低減するための方法例に係るフローチャートを示す。例えば、処理回路４１０、プロセッサ４１２、メモリ４１４、又は管理モジュール４１８のうちの１つ以上が、図８に例示されており、かつ同図に関して記載されている処理を実行するための手段を提供することができる。
【００７２】
動作８００は、無線通信デバイス２０２がアップリンク電力制限状況に遭遇しており、無線通信デバイス２０２の送信電力が無線通信デバイス２０２の電力クラスレベル未満のレベルに制限されていると無線通信デバイス２０２が判定することを含み得る。例えば、いくつかの実施形態例において、動作８００は、無線通信デバイス２０２が送信しているアップリンク送信電力が、無線通信デバイス２０２が制限され得る明示的な最大アップリンク送信電力の閾値範囲内であると、無線通信デバイス２０２が判定することを含み得る。明示的な最大アップリンク送信電力は、無線通信デバイス２０２の電力クラスレベルと関連付けられた送信電力未満であり得る。そのため、いくつかの実施形態例において、動作８００は、利用できるパワーヘッドルーム値が閾値未満であると判定することを含み得る。
【００７３】
別例として、いくつかの実施形態例において、動作８００は、無線通信デバイス２０２が、その無線通信デバイスの電力クラスレベルと関連付けられた送信電力と、その無線通信デバイスが送信している送信電力（例えば、そのデバイスの明示的な最大アップリンク送信電力）との差を算出することと、その差を最大閾値（Ｐｍａｘ）と比較することと、を含み得る。その差がＰｍａｘを超える場合、無線通信デバイス２０２は、自身がアップリンク電力制限状況に遭遇していると判定することができる。
【００７４】
更なる例として、いくつかの実施形態例では、動作８００が、ＳＲＢ送信用の未処理ＰＤＵがある閾値よりも多いと無線通信デバイス２０２が判定することを含み得る。
【００７５】
動作８１０は、無線通信デバイス２０２が、アップリンク電力制限状況を受けてアップリンク送信データの到着を遅くするために、トランスポート層（例えば、伝送制御プロトコル（ＴＣＰ）層及び／又は他のトランスポート層）あるいはアプリケーション層のうちの１つ以上などの上位層に対して、アップリンク電力制限状況についての指示を内部的にシグナリングすることを含み得る。いくつかの実施形態例では、ベースバンド層で動作８００の判定を行うことができ、ベースバンド層は、動作８１０で上位層の内部シグナリングを行うことができる。
【００７６】
いくつかの実施形態例において、動作８１０のシグナリングは、そのデバイスがアップリンク電力制限状況に遭遇していることを上位層に明示的にシグナリングすることを含み得る。そのため、いくつかの実施形態例によれば、１つ以上の上位層を、無線通信デバイス２０２がアップリンク電力制限状況に遭遇していることを示すベースバンド層からの専用内部シグナリングを認識するように修正することができ、そのシグナリングを受けてベースバンド層及び／又は他の下位層にアップリンク送信データが提供される速度を下げるように構成することができる。
【００７７】
別例として、いくつかの実施形態例では、動作８１０のシグナリングが、無線通信デバイス２０２がベースバンド層で実際に観測された状況以外の状況に遭遇しているという指示をシグナリングすることを含み得る。例えば、ベースバンド層は、図７に例示されており、かつ同図に関して記載されている方法の動作７１０のところで説明したような控え目なパワーヘッドルーム及び／又はＢＳＲステータスについての指示を１つ以上の上位層にシグナリングすることができる。かかる過小なレポートにより、いくつかの実施形態例において、アップリンク送信データがベースバンド層及び／又は他の下位層に提供される速度を下げるように上位層にトリガーすることができる。
【００７８】
動作８２０は、動作８１０でシグナリングされた指示を受けて、アップリンク送信データが上位層からアップリンク送信用のベースバンド層に提供される速度を下げることを含み得る。例えば、動作８２０は、動作８１０のシグナリングを受けて、トランスポート層及び／又はアプリケーション層によって行うことができる。
【００７９】
いくつかの実施形態例において、アプリケーション層は、アップリンク電力制限状況についての指示を受信したことを受けて、ゼロＴＣＰウィンドウサイズをアドバタイズするように構成することができる。そのため、送られるデータが少なくなるように、混雑した状況がシグナリングされ得る。
【００８０】
いくつかの実施形態においては、サービング基地局が、特定のイベントについてある閾値数の測定レポートを受信した後にハンドオーバーをトリガーするように構成可能であることから、いくつかの実施形態例では、無線通信デバイス２０２によって送られる２つの測定レポート間の間隔を、アップリンク送信電力制限状況において減らす（例えば最小化する）ことができる。
【００８１】
いくつかの実施形態例に係る無線通信デバイス２０２は、自身の電力クラスに加えて、又は代えて、自身の明示的な送信電力能力をネットワーク（例えばサービング基地局）にアドバタイズすることができる。そのため、かかる各種実施形態例に係る無線通信デバイス２０２は、自身のアップリンク送信電力制限を説明する測定レポート構成で以ってプロビジョニングすることができる。図９は、このようないくつかの実施形態例に係る、アップリンク電力制限シナリオにおける通話途絶を低減するための方法例に係るフローチャートを示す。そのため、図９は、無線通信デバイス２０２が自身の明示的な送信電力能力をアドバタイズするために実行できる処理を示す。例えば、処理回路４１０、プロセッサ４１２、メモリ４１４、又は管理モジュール４１８のうちの１つ以上が、図９に例示されており、かつ同図に関して記載されている処理を実行するための手段を提供することができる。
【００８２】
動作９００は、無線通信デバイス２０２が自身の明示的なアップリンク送信電力能力を判定することを含み得る。動作９１０は、無線通信デバイス２０２が、サービングセル２０４と関連付けられたサービング基地局など、サービングネットワークに対して明示的なアップリンク送信電力能力をシグナリングすることを含み得る。無線通信デバイス２０２の明示的な送信電力能力は、例えば、クラスマークメッセージなどの能力情報メッセージでネットワークにシグナリングすることができる。
【００８３】
動作９２０は、無線通信デバイス２０２が、シグナリングされた明示的なアップリンク送信電力能力に少なくとも部分的に基づいて、サービングネットワークによってその無線通信デバイス専用に設定された測定レポート用の設定パラメータを受信することを含み得る。そのため、ネットワークは、デバイス固有の測定レポート用設定パラメータを提供する際に、その明示的な電力能力を使用することができる。この設定パラメータは、例えば、サービングセルのチャネル状況がその閾値よりも悪化したことを示す測定レポートを送るための閾値を定めることができる。例えば、サービングセル２０４がＬＴＥ  ＲＡＴを実装する各種実施形態において、設定パラメータは、Ａ２測定イベント閾値を定めることができる。
【００８４】
そのため、無線通信デバイス２０２は、測定レポートイベントを評価する際に、受信した設定パラメータを適用することができる。設定された閾値は、そのデバイスの電力クラスではなく、そのデバイスの明示的なアップリンク送信電力能力に基づき得ることから、アップリンク電力制限状況においてハンドオーバーを速やかにトリガーすることができ、通話途絶事象を低減することができる。
【００８５】
図１０は、いくつかの実施形態例に係る、無線通信デバイスが自身の明示的なアップリンク送信電力能力をシグナリングしたことに基づいてサービングネットワークによって（例えば、サービング基地局及び／又は他のサービングネットワークエンティティによって）実行可能な、アップリンク電力制限シナリオにおける通話途絶の低減を促進するための方法例に係るフローチャートを示す。例えば、処理回路５１０、プロセッサ５１２、メモリ５１４、又はハンドオーバー制御モジュール５１８のうちの１つ以上が、図１０に例示されており、かつ同図に関して記載されている処理を実行するための手段を提供することができる。
【００８６】
動作１０００は、無線通信デバイス２０２によってシグナリングされた無線通信デバイス２０２の明示的なアップリンク送信電力能力についての指示を受信することを含み得る。そのため、動作１０００は、上述の動作９１０において無線通信デバイス２０２によって送ることのできるシグナリングを受信することを含み得る。動作１０１０は、明示的なアップリンク送信電力能力に関するシグナリングされた指示に少なくとも部分的に基づいて、無線通信デバイス２０２専用に設定された測定レポート用設定パラメータを定めることを含み得る。動作１０２０は、その設定パラメータを無線通信デバイス２０２に送ることを含み得る。そのため、送られた設定パラメータは、動作９２０において無線通信デバイス２０２によって受信可能な設定パラメータに対応し得る。
【００８７】
いくつかの実施形態例においては、無線通信デバイス２０２の送信電力が最大能力値に達しているときに無線通信デバイス２０２が測定レポートを送るための明示的な測定レポートイベントを定めることができる。ネットワーク（例えばサービング基地局）は、ハンドオーバー判定を行うのにその測定レポートを使用することができる。例えば、無線通信デバイス２０２によって使用されたアップリンク送信電力がその無線通信デバイスの明示的な最大アップリンク送信電力の閾値範囲内であれば、アップリンク送信電力制限状況を示す測定レポートをネットワークにシグナリングすることができる。したがって、かかる各種実施形態例においては、アップリンク送信電力制限シナリオにおける測定レポートイベントを、そのネットワークがダウンリンク電力測定レポートに加えてアップリンク送信電力も考慮してハンドオーバー判定を行えるように定めることができる。
【００８８】
図１１は、無線通信デバイス２０２がアップリンク電力制限状況に遭遇している場合に明示的な測定レポートイベントを定めることのできるいくつかの実施形態例に係る、アップリンク電力制限シナリオにおける通話途絶を低減するために無線通信デバイス２０２によって行うことのできる方法例に係るフローチャートを示す。例えば、処理回路４１０、プロセッサ４１２、メモリ４１４、又は管理モジュール４１８のうちの１つ以上が、図１１に例示されており、かつ同図に関して記載されている処理を実行するための手段を提供することができる。
【００８９】
動作１１００は、無線通信デバイス２０２がアップリンク電力制限状況に遭遇しており、無線通信デバイス２０２の送信電力が無線通信デバイス２０２の電力クラスレベル未満のレベルに制限されていると無線通信デバイス２０２が判定することを含み得る。例えば、いくつかの実施形態例において、動作１１００は、無線通信デバイス２０２が送信しているアップリンク送信電力が、無線通信デバイス２０２が制限され得る明示的な最大アップリンク送信電力の閾値範囲内であると無線通信デバイス２０２が判定することを含み得る。明示的な最大アップリンク送信電力は、無線通信デバイス２０２の電力クラスレベルと関連付けられた送信電力未満であり得る。そのため、いくつかの実施形態例において、動作１１００は、利用できるパワーヘッドルーム値が閾値未満であると判定することを含み得る。
【００９０】
別例として、いくつかの実施形態例において、動作１１００は、無線通信デバイス２０２が、その無線通信デバイスの電力クラスレベルと関連付けられた送信電力とその無線通信デバイスが送信している送信電力（例えば、そのデバイスの明示的な最大アップリンク送信電力）との差を算出することと、その差を最大閾値（Ｐｍａｘ）と比較することと、を含み得る。その差がＰｍａｘを超える場合、無線通信デバイス２０２は、自身がアップリンク電力制限状況に遭遇していると判定することができる。
【００９１】
更なる例として、いくつかの実施形態例では、動作１１００が、ＳＲＢ送信用の未処理ＰＤＵがある閾値よりも多いと無線通信デバイス２０２が判定することを含み得る。
【００９２】
動作１１１０は、無線通信デバイス２０２が、アップリンク電力制限状況を示す測定レポートをサービング基地局に送ることを含み得る。その測定レポートは、例えば、アップリンク電力制限状況をレポートするための専用の測定レポートであり得る。
【００９３】
サービング基地局は、この測定レポートを、ハンドオーバー判定を行うためのベースとして使用することができる。サービング基地局が無線通信デバイス２０２を別のセルにハンドオーバーすることを決定した場合、この方法は、動作１１２０を更に含み得る。動作１１２０は、無線通信デバイス２０２がその測定レポートに応じたハンドオーバーコマンドを受信することを含み得る。ハンドオーバーコマンドは、例えば、代替セル２０６へのリダイレクトを含む。
【００９４】
図１２は、いくつかの実施形態例に係る、無線通信デバイスがアップリンク電力制限状況を示す測定レポートを送信したことに基づいてサービングネットワークによって（例えば、サービング基地局及び／又は他のサービングネットワークエンティティによって）実行可能な、アップリンク電力制限シナリオにおける通話途絶の低減を促進するための方法例に係るフローチャートを示す。例えば、処理回路５１０、プロセッサ５１２、メモリ５１４、又はハンドオーバー制御モジュール５１８のうちの１つ以上が、図１２に例示されており、かつ同図に関して記載されている処理を実行するための手段を提供することができる。
【００９５】
動作１２００は、無線通信デバイス２０２がアップリンク電力制限状況に遭遇しており、無線通信デバイス２０２の送信電力が無線通信デバイス２０２の電力クラスレベルを下回るレベルに制限されていることを示す測定レポートを無線通信デバイス２０２から受信することを含み得る。そのため、動作１２００は、上述の動作１１１０において無線通信デバイス２０２によって送ることのできる測定レポートを受信することを含み得る。
【００９６】
動作１２１０は、その測定レポートに少なくとも部分的に基づいてハンドオーバー判定を行うことを含み得る。サービングネットワークが無線通信デバイス２０２を別のセルにハンドオーバーすることを決定した場合、この方法は、動作１２２０を更に含み得る。動作１２２０は、測定レポートを受けて無線通信デバイス１２０２にハンドオーバーコマンドを送ることを含み得る。ハンドオーバーコマンドは、例えば、代替セル２０６へのリダイレクトを含む。
【００９７】
代表的な各種実施形態は、アップリンク電力制限シナリオにおける通話途絶を低減するための方法及び装置を含む。一実施形態においては、アップリンク電力制限シナリオにおける通話途絶を低減するための方法が、無線通信デバイスが次のステップのうちの１つ以上を行うことを含む。あるステップにおいて、無線通信デバイスは、自身がアップリンク電力制限状況に遭遇しており、無線通信デバイスの送信電力が無線通信デバイスの電力クラスレベルを下回るレベルに制限されていると判定する。別のステップにおいて、無線通信デバイスは、サービング基地局によって設定された閾値よりも高く、アップリンク電力制限状況に少なくとも部分的に基づいて、ハンドオーバーをトリガーするための測定レポートを送るためのダウンリンク電力閾値を定める。更なるステップにおいて、無線通信デバイスは、ダウンリンク電力測定値に少なくとも部分的に基づいて、そのダウンリンク電力閾値が満たされていると判定する。更に別のステップにおいて、無線通信デバイスは、そのダウンリンク電力閾値が満たされていることを受けて、ハンドオーバーをトリガーするための測定レポートをサービング基地局に送る。
【００９８】
いくつかの実施形態においては、ハンドオーバーをトリガーするための測定レポートを送ることが、無線アクセス技術間（ＲＡＴ間）ハンドオーバー又は周波数間ハンドオーバーのうちの一方をトリガーするための測定レポートを送ることを含む。いくつかの実施形態においては、ダウンリンク電力閾値を定めることが、サービングセルのチャネル状況が閾値よりも悪化したことを示す測定レポートを送るためのダウンリンク電力閾値を定めることを含む。いくつかの実施形態において、サービング基地局は、ロングタームエボリューション（ＬＴＥ）無線アクセス技術を実装するネットワークの基地局を含み、ダウンリンク電力閾値を定めることは、Ａ２測定イベント閾値を定めることを含む。いくつかの実施形態においては、そのダウンリンク電力閾値を定めることが、無線通信デバイスの電力クラスレベルと関連付けられた送信電力と、アップリンク電力制限状況により無線通信デバイスが制限される送信電力との差を表す送信電力不均衡を求めることと、その送信電力不均衡に相当するオフセットをサービング基地局によって設定された閾値に加えることによってダウンリンク電力閾値を算出することと、を含む。いくつかの実施形態においては、無線通信デバイスがアップリンク電力制限状況に遭遇していると判定することが、利用できるパワーヘッドルーム値が閾値未満であると判定することを含む。いくつかの実施形態においては、無線通信デバイスがアップリンク電力制限状況に遭遇していると判定することが、シグナリング無線ベアラ（ＳＲＢ）送信用の未処理パケットデータユニット（ＰＤＵ）が閾値数より多く存在すると判定することを含む。
【００９９】
一実施形態においては、無線通信デバイスが、送受信機と、その送受信機に連結された処理回路と、を含む。いくつかの実施形態において、送受信機は、セルラーネットワークのサービング基地局との間で信号を送受信するように構成されている。いくつかの実施形態において、送受信機に連結された処理回路は、無線通信デバイスを制御していくつかの処理を行うように構成されている。いくつかの実施形態において、送受信機は、無線通信デバイスを制御して、その無線通信デバイスがアップリンク電力制限状況に遭遇しており、その無線通信デバイスの送信電力がその無線通信デバイスの電力クラスレベルを下回るレベルに制限されていると判定するように構成されている。いくつかの実施形態において、送受信機は、無線通信デバイスを制御して、アップリンク電力制限状況に少なくとも部分的に基づいて、ハンドオーバーをトリガーするための測定レポートを送るためのダウンリンク電力閾値であって、サービング基地局によって設定された閾値を上回るダウンリンク電力閾値を定めるように構成されている。いくつかの実施形態において、送受信機は、無線通信デバイスを制御して、ダウンリンク電力測定値に少なくとも部分的に基づいて、ダウンリンク電力閾値が満たされていると無線通信デバイスが判定するように構成されている。いくつかの実施形態において、送受信機は、無線通信デバイスを制御して、そのダウンリンク電力閾値が満たされていることを受けて、ハンドオーバーをトリガーするための測定レポートをサービング基地局に送るように構成されている。
【０１００】
いくつかの実施形態において、ダウンリンク電力閾値は、サービングセルのチャネル状況が閾値よりも悪化したことを示す測定レポートを送るためのダウンリンク電力閾値を含む。いくつかの実施形態において、サービング基地局は、ロングタームエボリューション（ＬＴＥ）無線アクセス技術を実装するネットワークの基地局を含み、ダウンリンク電力閾値は、Ａ２測定イベント閾値を含む。いくつかの実施形態において、無線通信デバイスの処理回路は、その無線通信デバイスを制御して、少なくとも部分的には、無線通信デバイスの電力クラスレベルと関連付けられた送信電力と、アップリンク電力制限状況により無線通信デバイスが制限される送信電力との差を表す送信電力不均衡を求めることにより、かつその送信電力不均衡に相当するオフセットをサービング基地局によって設定された閾値に加えてそのダウンリンク電力閾値を算出することにより、ダウンリンク電力閾値を定めるように構成されている。
【０１０１】
別の実施形態においては、アップリンク電力制限シナリオにおける通話途絶を低減するための方法が、無線通信デバイスがいくつかのステップを行うことを含む。あるステップにおいて、無線通信デバイスは、自身がアップリンク電力制限状況に遭遇しており、無線通信デバイスの送信電力が無線通信デバイスの電力クラスレベルを下回るレベルに制限されていると判定する。別のステップにおいて、無線通信デバイスは、アップリンク電力制限状況を受けてサービング基地局にレポートを送る。そのレポートは、サービング基地局がその無線通信デバイスに対するグラントレベルを下げるようにトリガーするために、無線通信デバイスによって実際に観測された状況以外の状況に無線通信デバイスが遭遇していることを示す。
【０１０２】
いくつかの実施形態において、無線通信デバイスは、自身が観測したパワーヘッドルーム値を過小にレポートするパワーヘッドルームレポート（ＰＨＲ）を送ることによってそのレポートを送る。いくつかの実施形態において、無線通信デバイスは、無線通信デバイスのアップリンクバッファにおいてそのアップリンクバッファにおいて実際に保留中のデータよりも少ないデータが保留中であることを示すバッファステータスレポート（ＢＳＲ）を送ることによってそのレポートを送る。いくつかの実施形態において、無線通信デバイスは、アップリンク電力制限状況を受けてアップリンクデータレートを下げる。いくつかの実施形態において、無線通信デバイスは、媒体アクセス制御（ＭＡＣ）層でそのレポートを送り始めることによってそのレポートを送る。いくつかの実施形態において、無線通信デバイスは、サービング基地局がその無線通信デバイスに割り当てるリソースブロックを減らすようにトリガーするレポートを送ることによって、そのレポートを送る。いくつかの実施形態において、そのサービング基地局は、ロングタームエボリューション（ＬＴＥ）無線アクセス技術を実装するネットワークの基地局を含む。いくつかの実施形態において、無線通信デバイスは、利用できるパワーヘッドルーム値が閾値未満であると判定することにより、自身がアップリンク電力制限状況に遭遇していると判定する。いくつかの実施形態において、無線通信デバイスは、シグナリング無線ベアラ（ＳＲＢ）送信用の未処理パケットデータユニット（ＰＤＵ）が閾値数より多く存在すると判定することにより、自身がアップリンク電力制限状況に遭遇していると判定する。いくつかの実施形態において、無線通信デバイスは、無線通信デバイスが（１）無線通信デバイスの電力クラスレベルと関連付けられた送信電力と、無線通信デバイスの現在の送信電力との差を算出することにより、（２）その差を最大閾値（Ｐｍａｘ）と比較することにより、そして（３）その差が最大閾値を上回る場合には、無線通信デバイスがアップリンク電力制限状況に遭遇していると判定することにより、無線通信デバイスがアップリンク電力制限状況に遭遇していると判定する。
【０１０３】
いくつかの実施形態においては、無線通信デバイスが、送受信機と、その送受信機に連結された処理回路と、を含む。いくつかの実施形態において、送受信機は、セルラーネットワークのサービング基地局との間で信号を送受信するように構成されている。いくつかの実施形態において、送受信機に連結された処理回路は、無線通信デバイスを制御して、少なくとも、その無線通信デバイスがアップリンク電力制限状況に遭遇しており、その無線通信デバイスの送信電力が、その無線通信デバイスの電力クラスレベルを下回るレベルに制限されていると判定し、アップリンク電力制限状況を受けて、サービング基地局がその無線通信デバイスに対するグラントレベルを下げるようにトリガーするために、その無線通信デバイスが、自身によって実際に観測された状況以外の状況に遭遇していることを示すレポートを、サービング基地局に送信するように構成されている。いくつかの実施形態において、このレポートは、無線通信デバイスが観測したパワーヘッドルーム値を過小にレポートするパワーヘッドルームレポート（ＰＨＲ）を含む。いくつかの実施形態において、このレポートは、無線通信デバイスのアップリンクバッファにおいてそのアップリンクバッファにおいて実際に保留中のデータよりも少ないデータが保留中であることを示すバッファステータスレポート（ＢＳＲ）を含む。いくつかの実施形態において、処理回路は、無線通信デバイスを制御して、アップリンク電力制限状況を受けてアップリンクデータレートを減速するように更に構成されている。いくつかの実施形態において、処理回路は、無線通信デバイスを制御して、媒体アクセス制御（ＭＡＣ）層でそのレポートを送り始めるように更に構成されている。
【０１０４】
別の実施形態において、無線通信デバイスによって行われる、アップリンク電力制限シナリオにおける通話途絶を低減するための方法が、次のステップのうちの１つ以上を含む。あるステップにおいて、無線通信デバイスは、自身がアップリンク電力制限状況に遭遇しており、無線通信デバイスの送信電力が無線通信デバイスの電力クラスレベルを下回るレベルに制限されていると判定する。別のステップにおいて、無線通信デバイスは、アップリンク電力制限状況を受けてアップリンク送信データの到着を遅くするために、アップリンク電力制限状況についての指示を自身のトランスポート層又はアプリケーション層のうちの１つ以上に内部的にシグナリングする。
【０１０５】
いくつかの実施形態において、無線通信デバイスは、その指示を受けて、アップリンク送信データがアップリンク送信のために上位層からベースバンド層に提供される速度を下げる。いくつかの実施形態において、無線通信デバイスは、自身のベースバンド層で、無線通信デバイスがアップリンク電力制限状況に遭遇していると判定する。いくつかの実施形態において、無線通信デバイスは、ベースバンド層から、自身のトランスポート層又はアプリケーション層のうちの１つ以上にその指示をシグナリングすることによって内部的にシグナリングする。いくつかの実施形態において、無線通信デバイスのアプリケーション層は、その指示を受けて、ゼロ伝送制御プロトコル（ＴＣＰ）ウィンドウサイズをアドバタイズする。いくつかの実施形態において、無線通信デバイスは、ロングタームエボリューション（ＬＴＥ）無線アクセス技術を実装するネットワークに接続されている。いくつかの実施形態において、無線通信デバイスは、利用できるパワーヘッドルーム値が閾値未満であると判定することにより、無線通信デバイスがアップリンク電力制限状況に遭遇していると判定する。いくつかの実施形態において、無線通信デバイスは、シグナリング無線ベアラ（ＳＲＢ）送信用の未処理パケットデータユニット（ＰＤＵ）が閾値数より多く存在すると判定することにより、自身がアップリンク電力制限状況に遭遇していると判定する。いくつかの実施形態において、無線通信デバイスは、（１）無線通信デバイスの電力クラスレベルと関連付けられた送信電力と、無線通信デバイスの現在の送信電力との差を算出し、（２）その差を最大閾値（Ｐｍａｘ）と比較し、そして（３）その差が最大閾値を上回る場合には、無線通信デバイスがアップリンク電力制限状況に遭遇していると判定することにより、無線通信デバイスがアップリンク電力制限状況に遭遇していると判定する。
【０１０６】
一実施形態においては、無線通信デバイスが、セルラーネットワークとの間で信号を送受信するように構成された送受信機と、その送受信機に連結された処理回路と、を含む。処理回路は、その無線通信デバイスを制御して、その無線通信デバイスがアップリンク電力制限状況に遭遇しており、その無線通信デバイスの送信電力がその無線通信デバイスの電力クラスレベルを下回るレベルに制限されていると判定し、アップリンク電力制限状況を受けてアップリンク送信データの到着を遅くするために、アップリンク電力制限状況についての指示をその無線通信デバイスのトランスポート層又はアプリケーション層のうちの１つ以上に内部的にシグナリングするように構成されている。
【０１０７】
いくつかの実施形態において、無線通信デバイスの処理回路は、その無線通信デバイスを制御して、その指示を受けてアップリンク送信データがアップリンク送信のために上位層からベースバンド層に提供される速度を下げるように更に構成されている。いくつかの実施形態において、無線通信デバイスの処理回路は、その無線通信デバイスを制御して、その無線通信デバイスがアップリンク電力制限状況に遭遇しているとベースバンド層で判定し、その指示を、ベースバンド層からトランスポート層又はアプリケーション層のうちの１つ以上に内部的にシグナリングするように更に構成されている。いくつかの実施形態において、無線通信デバイスの処理回路は、その無線通信デバイスを制御して、その指示を受けてアプリケーション層にゼロ伝送制御プロトコル（ＴＣＰ）ウィンドウサイズをアドバタイズさせるように更に構成されている。
【０１０８】
一実施形態においては、アップリンク電力制限シナリオにおける通話途絶を低減するための方法は、無線通信デバイスが１つ以上のステップを行うことを含む。あるステップにおいて、無線通信デバイスは、無線通信デバイスの明示的なアップリンク送信電力能力を判定する。この明示的なアップリンク送信電力能力は、無線通信デバイスの電力クラスと関連付けられた送信電力未満である。別のステップにおいて、無線通信デバイスは、明示的なアップリンク送信電力能力をサービングネットワークにシグナリングする。
【０１０９】
いくつかの実施形態において、明示的なアップリンク送信電力能力をサービングネットワークにシグナリングすることは、その明示的なアップリンク送信電力能力についての指示を含む能力情報メッセージをサービングネットワークに送ることを含む。いくつかの実施形態において、無線通信デバイスは、サービングネットワークにシグナリングされた明示的なアップリンク送信電力能力に少なくとも部分的に基づいて、そのサービングネットワークによって無線通信デバイス専用に設定された測定レポート用の設定パラメータを受信する。いくつかの実施形態において、設定パラメータは、サービングセルのチャネル状況が閾値よりも悪化したことを示す測定レポートを送るための閾値を定める設定パラメータを含む。いくつかの実施形態において、サービングネットワークは、ロングタームエボリューション（ＬＴＥ）無線アクセス技術を実装するネットワークを含み、設定パラメータはＡ２測定イベント閾値を定める。いくつかの実施形態において、サービングネットワークは、ロングタームエボリューション（ＬＴＥ）無線アクセス技術を実装するネットワークを含む。
【０１１０】
一実施形態においては、無線通信デバイスが、サービングネットワークとの間で信号を送受信するように構成された送受信機と、その送受信機に連結された処理回路であって、その無線通信デバイスを制御して、少なくとも、その無線通信デバイスの明示的なアップリンク送信電力能力を判定し、その明示的なアップリンク送信電力能力はその無線通信デバイスの電力クラスと関連付けられた送信電力未満であり、その明示的なアップリンク送信電力能力をサービングネットワークにシグナリングするように構成された処理回路と、を含む。
【０１１１】
いくつかの実施形態において、無線通信デバイスの処理回路は、明示的なアップリンク送信電力能力についての指示を含む能力情報メッセージをサービングネットワークに送ることにより、その無線通信デバイスを制御して、その明示的なアップリンク送信電力能力をサービングネットワークにシグナリングするように更に構成されている。いくつかの実施形態において、無線通信デバイスの処理回路は、その無線通信デバイスを制御して、サービングネットワークにシグナリングされた明示的なアップリンク送信電力能力に少なくとも部分的に基づいてそのサービングネットワークによってその無線通信デバイス専用に設定された測定レポート用の設定パラメータを受信するように更に構成されている。いくつかの実施形態において、設定パラメータは、サービングセルのチャネル状況が閾値よりも悪化したことを示す測定レポートを送るための閾値を定める設定パラメータを含む。いくつかの実施形態において、サービングネットワークは、ロングタームエボリューション（ＬＴＥ）無線アクセス技術を実装するネットワークを含み、設定パラメータはＡ２測定イベント閾値を定める。
【０１１２】
一実施形態においては、アップリンク電力制限シナリオにおける通話途絶を低減するための方法が、無線通信デバイスが、無線通信デバイスがアップリンク電力制限状況に遭遇しており、無線通信デバイスの送信電力が無線通信デバイスの電力クラスレベルを下回るレベルに制限されていると判定することと、アップリンク電力制限状況を示す測定レポートであって、ハンドオーバー判定を行うためにサービング基地局によって使用可能な測定レポートをサービング基地局に送ることと、を含む。いくつかの実施形態において、この測定レポートは、アップリンク電力制限状況をレポートするための専用の測定レポートを含む。いくつかの実施形態において、無線通信デバイスは、その測定レポートに応じたハンドオーバーコマンドを受信する。いくつかの実施形態において、無線通信デバイスがアップリンク電力制限状況に遭遇していると判定することは、無線通信デバイスが送信しているアップリンク送信電力が、無線通信デバイスの明示的な最大アップリンク送信電力の閾値範囲内であると判定することを含み、その明示的な最大アップリンク送信電力は無線通信デバイスの電力クラスレベルと関連付けられた送信電力未満である。いくつかの実施形態においては、無線通信デバイスがアップリンク電力制限状況に遭遇していると判定することが、シグナリング無線ベアラ（ＳＲＢ）送信用の未処理パケットデータユニット（ＰＤＵ）が閾値数より多く存在すると判定することを含む。いくつかの実施形態において、無線通信デバイスがアップリンク電力制限状況に遭遇していると判定することは、無線通信デバイスが、（１）無線通信デバイスの電力クラスレベルと関連付けられた送信電力と、無線通信デバイスが送信している送信電力との差を算出することと、（２）その差を最大閾値（Ｐｍａｘ）と比較することと、（３）その差が最大閾値を上回る場合には、無線通信デバイスがアップリンク電力制限状況に遭遇していると判定することと、を含む。
【０１１３】
一実施形態においては、無線通信デバイスが、セルラーネットワークのサービング基地局との間で信号を送受信するように構成された送受信機と、その送受信機に連結された処理回路であって、その無線通信デバイスを制御して、少なくとも、その無線通信デバイスがアップリンク電力制限状況に遭遇しており、その無線通信デバイスの送信電力がその無線通信デバイスの電力クラスレベルを下回るレベルに制限されていると判定し、かつ、ハンドオーバー判定を行うためにサービング基地局によって使用可能である、アップリンク電力制限状況を示す測定レポートをサービング基地局に送るように構成された処理回路と、を含む。
【０１１４】
いくつかの実施形態において、この測定レポートは、アップリンク電力制限状況をレポートするための専用の測定レポートを含む。いくつかの実施形態において、この処理回路は、無線通信デバイスを制御して、測定レポートに応じたハンドオーバーコマンドを受信するように更に構成されている。
【０１１５】
説明される実施形態の様々な態様、実施形態、実装、又は機構は、個別に若しくは任意の組み合わせで使用できる。説明される実施形態の様々な態様は、ソフトウェア、ハードウェア、又はハードウェアとソフトウェアとの組み合わせによって実装できる。説明される実施形態はまた、製造作業を制御するためのコンピュータ可読媒体上のコンピュータ可読コードとして、又は製造ラインを制御するためのコンピュータ可読媒体上のコンピュータ可読コードとして具体化することもできる。コンピュータ可読媒体は、後にコンピュータシステムによって読み出すことが可能なデータを記憶することができる、任意のデータ記憶装置である。コンピュータ可読媒体の例としては、読み取り専用メモリ、ランダムアクセスメモリ、ＣＤ−ＲＯＭ、ＨＤＤ、ＤＶＤ、磁気テープ、及び光学的データ記憶装置が挙げられる。コンピュータ可読媒体はまた、ネットワーク結合されたコンピュータシステム上に分散させることもでき、コンピュータ可読コードが分散方式で記憶及び実行される。
【０１１６】
上述の説明は、説明の目的上、具体的な専門用語を使用することにより、説明される実施形態の完全な理解を提供するものであった。しかしながら、それらの具体的詳細は、説明される実施形態を実践するために必須のものではないことが、当業者には明らかとなるであろう。それゆえ、上述の具体的な実施形態の説明は、例示及び説明の目的のために提示される。それらの説明は、網羅的であることも、又は説明される実施形態を開示される厳密な形態に限定することも意図してはいない。上記の教示を考慮して、多くの修正形態及び変形形態が可能であることが、当業者には明らかとなるであろう。
【図１】
2015532820.tif 000003
【図２】
2015532820.tif 000004
【図３】
2015532820.tif 000005
【図４】
2015532820.tif 000006
【図５】
2015532820.tif 000007
【図６】
2015532820.tif 000008
【図７】
2015532820.tif 000009
【図８】
2015532820.tif 000010
【図９】
2015532820.tif 000011
【図１０】
2015532820.tif 000012
【図１１】
2015532820.tif 000013
【図１２】
2015532820.tif 000014
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
アップリンク電力制限シナリオにおける無線ネットワークと無線通信デバイスとの間での通話途絶を低減するための方法であって、
前記無線通信デバイスにて、
前記無線通信デバイスがアップリンク電力制限状況に遭遇しており、前記無線通信デバイスのアップリンク送信電力が前記無線通信デバイスの電力クラスレベルを下回るレベルを超えないように制限されていると判定することと、
前記アップリンク電力制限状況に少なくとも部分的に基づいて、ハンドオーバーをトリガーするための測定レポートを前記無線ネットワークに送るためのダウンリンク電力閾値であって、前記無線ネットワークのサービング基地局によって設定された、前記測定レポートを送るための閾値よりも高いダウンリンク電力閾値を定めることと、
ダウンリンク電力測定値に少なくとも部分的に基づいて、前記測定レポートを送るための前記定められたダウンリンク電力閾値が満たされていると判定することと、
前記定められたダウンリンク電力閾値が満たされていることを受けて、ハンドオーバーをトリガーするための前記測定レポートを前記無線ネットワークの前記サービング基地局に送ることと、
を含む方法。
【請求項２】
ハンドオーバーをトリガーするための前記測定レポートを送ることが、無線通信アクセス技術間（ＲＡＴ間）ハンドオーバー又は周波数間ハンドオーバーのうちの一方をトリガーするための測定レポートを送ることを含む、請求項１に記載の方法。
【請求項３】
前記ダウンリンク電力閾値を定めることが、サービングセルのチャネル状況が閾値よりも悪化したことを示す測定レポートを送るためのダウンリンク電力閾値を定めることを含む、請求項１に記載の方法。
【請求項４】
前記サービング基地局が、ロングタームエボリューション（ＬＴＥ）無線アクセス技術を実装するネットワークの基地局を含み、前記ダウンリンク電力閾値を定めることが、Ａ２測定イベント閾値を定めることを含む、請求項１に記載の方法。
【請求項５】
前記ダウンリンク電力閾値を定めることが、
前記無線通信デバイスの前記電力クラスレベルと関連付けられた最大アップリンク送信電力と、前記アップリンク電力制限状況により前記無線通信デバイスが制限される前記アップリンク送信電力と、の差を表す送信電力不均衡を求めることと、
前記送信電力不均衡に相当するオフセットを、前記サービング基地局によって設定された、前記測定レポートを送るための前記閾値に加えることによって前記ダウンリンク電力閾値を算出することと、
を含む、請求項１に記載の方法。
【請求項６】
前記無線通信デバイスが前記アップリンク電力制限状況に遭遇していると判定することが、利用できるパワーヘッドルーム値がパワーヘッドルーム閾値未満であると判定することを含む、請求項１に記載の方法。
【請求項７】
前記無線通信デバイスが前記アップリンク電力制限状況に遭遇していると判定することが、シグナリング無線ベアラ（ＳＲＢ）送信用の未処理パケットデータユニット（ＰＤＵ）が閾値数より多く存在すると判定することを含む、請求項１に記載の方法。
【請求項８】
無線通信デバイスであって、
セルラーネットワークのサービング基地局との間で信号を送受信するように構成された送受信機と、
前記送受信機に連結された処理回路であって、前記無線通信デバイスを制御して、少なくとも、
前記無線通信デバイスがアップリンク電力制限状況に遭遇しており、前記無線通信デバイスのアップリンク送信電力が前記無線通信デバイスの電力クラスレベルを下回るレベルを超えないように制限されていると判定し、
前記アップリンク電力制限状況に少なくとも部分的に基づいて、ハンドオーバーをトリガーするための測定レポートを前記セルラーネットワークに送るためのダウンリンク電力閾値であって、前記セルラーネットワークのサービング基地局によって設定された、前記測定レポートを送るための閾値よりも高いダウンリンク電力閾値を定め、
ダウンリンク電力測定値に少なくとも部分的に基づいて、前記測定レポートを送るための前記定められたダウンリンク電力閾値が満たされていると判定し、
前記定められたダウンリンク電力閾値が満たされていることを受けて、ハンドオーバーをトリガーするための前記測定レポートを前記セルラーネットワークの前記サービング基地局に送る、
ように構成された処理回路と、
を備える無線通信デバイス。
【請求項９】
前記サービング基地局が、ロングタームエボリューション（ＬＴＥ）無線アクセス技術を実装するネットワークの基地局を含み、前記ダウンリンク電力閾値がＡ２測定イベント閾値を含む、請求項８に記載の無線通信デバイス。
【請求項１０】
前記処理回路が、前記無線通信デバイスを制御して、少なくとも部分的には、
前記無線通信デバイスの前記電力クラスレベルと関連付けられた最大アップリンク送信電力と、前記アップリンク電力制限状況により前記無線通信デバイスが制限される前記アップリンク送信電力と、の差を表す送信電力不均衡を求めることと、
前記送信電力不均衡に相当するオフセットを、前記サービング基地局によって設定された、前記測定レポートを送るための前記閾値に加えることによって前記ダウンリンク電力閾値を算出することと、
によって前記ダウンリンク電力閾値を定めるように構成されている請求項８に記載の無線通信デバイス。
【請求項１１】
アップリンク電力制限シナリオにおける無線ネットワークと無線通信デバイスとの間での通話途絶を低減するための方法であって、
前記無線通信デバイスにて、
前記無線通信デバイスがアップリンク電力制限状況に遭遇しており、前記無線通信デバイスのアップリンク送信電力が前記無線通信デバイスの電力クラスレベルを下回るレベルを超えないように制限されていると判定することと、
前記アップリンク電力制限状況を受けて、サービング基地局が前記無線通信デバイスに対するグラントレベルを下げるようにトリガーするために、前記無線通信デバイスが、前記無線通信デバイスによって実際に観測された状況以外の状況に遭遇していることを示すレポートを前記無線ネットワークの前記サービング基地局に送ることと、
を含む方法。
【請求項１２】
前記レポートを送ることが、前記無線通信デバイスによって観測されたパワーヘッドルーム値を過小にレポートするパワーヘッドルームレポート（ＰＨＲ）を送ることを含む、請求項１１に記載の方法。
【請求項１３】
前記レポートを送ることが、前記無線通信デバイスのアップリンクバッファにおいて、前記アップリンクバッファにおいて実際に保留中のデータよりも少ないデータが保留中であることを示すバッファステータスレポート（ＢＳＲ）を送ることを含む、請求項１１に記載の方法。
【請求項１４】
前記無線通信デバイスが、前記アップリンク電力制限状況を受けてアップリンクデータレートを下げることを更に含む、請求項１３に記載の方法。
【請求項１５】
前記レポートを送ることが、前記サービング基地局が前記無線通信デバイスに割り当てるリソースブロックを減らすようにトリガーするために前記レポートを送ることを含む、請求項１１に記載の方法。
【請求項１６】
前記サービング基地局が、ロングタームエボリューション（ＬＴＥ）無線アクセス技術を実装するネットワークの基地局を含む、請求項１１に記載の方法。
【請求項１７】
前記無線通信デバイスが前記アップリンク電力制限状況に遭遇していると判定することが、利用できるパワーヘッドルーム値がパワーヘッドルーム閾値未満であると判定することを含む、請求項１１に記載の方法。
【請求項１８】
前記無線通信デバイスが前記アップリンク電力制限状況に遭遇していると判定することが、シグナリング無線ベアラ（ＳＲＢ）送信用の未処理パケットデータユニット（ＰＤＵ）が閾値数より多く存在すると判定することを含む、請求項１１に記載の方法。
【請求項１９】
前記無線通信デバイスが前記アップリンク電力制限状況に遭遇していると判定することが、前記無線通信デバイスが、
前記無線通信デバイスの前記電力クラスレベルと関連付けられた最大アップリンク送信電力と、前記無線通信デバイスが送信しているアップリンク送信電力と、の差を算出することと、
前記差を最大閾値（Ｐｍａｘ）と比較することと、
前記差が前記最大閾値を上回る場合に、前記無線通信デバイスが前記アップリンク電力制限状況に遭遇していると判定することと、
を含む、請求項１１に記載の方法。
【請求項２０】
無線通信デバイスであって、
セルラーネットワークのサービング基地局との間で信号を送受信するように構成された送受信機と、
前記送受信機に連結された処理回路であって、前記無線通信デバイスを制御して、少なくとも、
前記無線通信デバイスがアップリンク電力制限状況に遭遇しており、前記無線通信デバイスのアップリンク送信電力が前記無線通信デバイスの電力クラスレベルを下回るレベルを超えないように制限されていると判定し、
前記アップリンク電力制限状況を受けて、前記サービング基地局が前記無線通信デバイスに対するグラントレベルを下げるようにトリガーするために、前記無線通信デバイスが、前記無線通信デバイスによって実際に観測された状況以外の状況に遭遇していることを示すレポートを前記セルラーの前記サービング基地局に送る、
ように構成された処理回路と、
を備える無線通信デバイス。
【国際調査報告】
2015532820.tif 000015
2015532820.tif 000016